(57)【要約】  ＮＲにおけるＰＤＳＣＨ／ＰＵＳＣＨのリソース割り当てに関連する基地局、ユーザ機器および無線通信方法が提供される。基地局は、リソース割り当てのセットの１つに基づいて物理リソースブロック（ＰＲＢ）をデータ送信に割り当てるように機能する回路と、ＰＲＢ上のデータをユーザ機器に送信するように機能する送信機とを備えており、このリソース割り当てのセットは、連続的に番号付けされた仮想リソースブロック（ＶＲＢ）をインターリーブし、インターリーブされたＶＲＢを周波数領域内の連続するＰＲＢにマッピングする、第１のリソース割り当てを含む。
2021503189.tif 000002
【特許請求の範囲】
【請求項１】
リソース割り当てのセットの１つに基づいて、物理リソースブロック（ＰＲＢ）をデータ送信に割り当てるように機能する回路と、
前記ＰＲＢ上のデータをユーザ機器に送信するように機能する送信機と、
を備えており、
前記リソース割り当てのセットが、
連続的に番号付けされた仮想リソースブロック（ＶＲＢ）をインターリーブし、前記インターリーブされたＶＲＢを周波数領域内の連続する前記ＰＲＢにマッピングする、第１のリソース割り当てを含む、基地局。
【請求項２】
前記リソース割り当てのセットが、連続的に番号付けされたＶＲＢをインターリーブし、前記インターリーブされたＶＲＢを、周波数領域内の位置がビットマップによって示される前記ＰＲＢにマッピングする、第２のリソース割り当てをさらに含む、請求項１に記載の基地局。
【請求項３】
前記リソース割り当てのセットが、連続的に番号付けされたＶＲＢをインターリーブし、前記インターリーブされたＶＲＢを、指定された周波数範囲内または構成された周波数範囲内の周波数領域内で連続しない前記ＰＲＢにマッピングする、第３のリソース割り当てをさらに含む、請求項２に記載の基地局。
【請求項４】
前記第１のリソース割り当ておよび前記第２のリソース割り当てが、ブロックインターリーバのサブセットに基づいてインターリーブを実行し、前記ブロックインターリーバに基づいて前記第３のリソース割り当てがインターリーブを実行し、前記ブロックインターリーバが、ＬＴＥにおいて使用されるブロックインターリーバに基づくか、または構成されたリソースブロックグループ（ＲＢＧ）のサイズに応じて他のかたちで構成される、請求項３に記載の基地局。
【請求項５】
前記ブロックインターリーバが、ＶＲＢ番号を行ごとに書き込み、列ごとに読み出し、
前記ブロックインターリーバの前記サブセットの行の数Ｎｒｏｗが、
【数１】
2021503189.tif 000031
によって決定され、
【数２】
2021503189.tif 000032
が、割り当てられたＶＲＢの数を示し、Ｎｃｏｌｕｍｎがブロックインターリーバの列の数であり、
前記ブロックインターリーバの列の数Ｎｃｏｌｕｍｎが指定または構成される、請求項４に記載の基地局。
【請求項６】
前記指定された周波数範囲または構成された周波数範囲が、キャリア帯域幅全体以下であるか、またはキャリア帯域幅の一部である、請求項３に記載の基地局。
【請求項７】
物理リソースブロック（ＰＲＢ）上で送信されたデータおよびリソース割り当て情報を基地局から受信するように機能する受信機と、
前記リソース割り当て情報に基づいて前記データを復号するように機能する回路と、
を備えており、
前記リソース割り当て情報が、リソース割り当てのセットのどの１つに基づいて前記ＰＲＢがデータ送信に割り当てられているかを示し、
前記リソース割り当てのセットが、
連続的に番号付けされた仮想リソースブロック（ＶＲＢ）をインターリーブし、前記インターリーブされたＶＲＢを周波数領域内の連続する前記ＰＲＢにマッピングする、第１のリソース割り当てを含む、ユーザ機器。
【請求項８】
前記リソース割り当てのセットが、連続的に番号付けされたＶＲＢをインターリーブし、前記インターリーブされたＶＲＢを、周波数領域内の位置がビットマップによって示される前記ＰＲＢにマッピングする、第２のリソース割り当てをさらに含む、請求項７に記載のユーザ機器。
【請求項９】
前記リソース割り当てのセットが、連続的に番号付けされたＶＲＢをインターリーブし、前記インターリーブされたＶＲＢを、既定の周波数範囲内の周波数領域内で連続しない前記ＰＲＢにマッピングする、第３のリソース割り当てをさらに含む、請求項７に記載のユーザ機器。
【請求項１０】
リソース割り当て情報を基地局から受信するように機能する受信機と、
前記リソース割り当て情報に基づいて、物理リソースブロック（ＰＲＢ）をデータ送信に割り当てるように機能する回路と、
前記ＰＲＢ上のデータを前記基地局に送信するように機能する送信機と、
を備えており、
前記リソース割り当て情報が、リソース割り当てのセットのどの１つに基づいて前記ＰＲＢがデータ送信に割り当てられているかを示し、
前記リソース割り当てのセットが、
連続的に番号付けされた仮想リソースブロック（ＶＲＢ）をインターリーブし、前記インターリーブされたＶＲＢを周波数領域内の連続する前記ＰＲＢにマッピングする、第４のリソース割り当てを含む、ユーザ機器。
【請求項１１】
前記リソース割り当てのセットが、連続的に番号付けされたＶＲＢをインターリーブし、前記インターリーブされたＶＲＢを、周波数領域内の位置がビットマップによって示される前記ＰＲＢにマッピングする、第５のリソース割り当てをさらに含む、請求項１０に記載のユーザ機器。
【請求項１２】
前記第４のリソース割り当ておよび前記第５のリソース割り当てが、ブロックインターリーバのサブセットに基づいてインターリーブを実行し、前記ブロックインターリーバが、ＬＴＥにおいて使用されるブロックインターリーバに基づくか、または構成されたリソースブロックグループ（ＲＢＧ）のサイズに応じて他のかたちで構成される、請求項１１に記載のユーザ機器。
【請求項１３】
前記ブロックインターリーバが、ＶＲＢ番号を行ごとに書き込み、列ごとに読み出し、
前記ブロックインターリーバの前記サブセットの行の数Ｎｒｏｗが、
【数３】
2021503189.tif 000033
によって決定され、
【数４】
2021503189.tif 000034
が、割り当てられたＶＲＢの数を示し、Ｎｃｏｌｕｍｎがブロックインターリーバの列の数であり、
前記ブロックインターリーバの列の数Ｎｃｏｌｕｍｎが指定または構成される、請求項１２に記載のユーザ機器。
【請求項１４】
リソース割り当て情報をユーザ機器に送信するように機能する送信機と、
前記リソース割り当て情報に基づいて割り当てられた物理リソースブロック（ＰＲＢ）上を送信されたデータを前記ユーザ機器から受信するように機能する受信機と、
前記データを復号するように機能する回路と、
を備えており、
前記リソース割り当て情報が、リソース割り当てのセットのどの１つに基づいて前記ＰＲＢがデータ送信に割り当てられているかを示し、
前記リソース割り当てのセットが、
連続的に番号付けされた仮想リソースブロック（ＶＲＢ）をインターリーブし、前記インターリーブされたＶＲＢを周波数領域内の連続する前記ＰＲＢにマッピングする、第４のリソース割り当てを含む、基地局。
【請求項１５】
前記リソース割り当てのセットが、連続的に番号付けされたＶＲＢをインターリーブし、前記インターリーブされたＶＲＢを、周波数領域内の位置がビットマップによって示される前記ＰＲＢにマッピングする、第５のリソース割り当てをさらに含む、請求項１４に記載の基地局。
【発明の詳細な説明】
【技術分野】
【０００１】
本開示は、無線通信の分野に関し、特に、ＮＲ（Ｎｅｗ  Ｒａｄｉｏ：新しい無線アクセス技術）における物理ダウンリンク共有チャネル（ＰＤＳＣＨ）／物理アップリンク共有チャネル（ＰＵＳＣＨ）のリソース割り当てに関連する基地局（ｅＮｏｄｅＢ）、ユーザ機器（ＵＥ）、および無線通信方法に関する。
【背景技術】
【０００２】
ＬＴＥ（ロングタームエボリューション）では、ダウンリンク（ＤＬ）に関して、３つのリソース割り当て（ＲＡ）のタイプ、すなわち、ＲＡタイプ０、ＲＡタイプ１、およびＲＡタイプ２が存在する。ＬＴＥでは、仮想リソースブロック（ＶＲＢ）の概念が導入され、リソース割り当てをＶＲＢ対（または複数のＶＲＢ）からＰＲＢ対（または複数のＰＲＢ）へのマッピングとして表すことができるようにする。
【０００３】
ＲＡタイプ０は、ビットマップインジケーションに基づいており、示される粒度は、ＲＢＧ（リソースブロックグループ）のサイズである。ＲＢＧは、１つまたは複数の物理リソースブロック（ＰＲＢ）で構成されることがあり、ＲＢＧのサイズは、１つのＲＢＧに含まれるＰＲＢの数によって示されることがある。したがって、ＲＢＧのサイズは、異なる帯域幅に基づいて、１つ、２つ、３つ、または４つのＰＲＢであることができる。ＲＡタイプ０の場合、ＶＲＢからＰＲＢへのマッピングは１対１（直接マッピングなど）である。
【０００４】
ＲＡタイプ１も、ＶＲＢとＰＲＢの間の直接マッピングおよびビットマップインジケーションに基づく。ＲＡタイプ０との違いは、ＲＢＧのどのサブセットがアドレス指定されるのか、およびビットマップの位置におけるシフトを示すために、一部のビットが使用される点である。
【０００５】
ＬＴＥのＲＡタイプ２は、局所的な割り当てを含むＲＡタイプ２および分散された割り当てを含むＲＡタイプ２に、さらに分割される。局所的な割り当てを含むＲＡタイプ２の場合、リソース割り当てのシグナリングは、ＲＡタイプ０／１と異なり、開始位置インジケーションおよび割り当てられたサイズを使用して、シグナリングを節約する。しかし、やはりマッピングは、ＶＲＢからＰＲＢへ直接的である。
【０００６】
分散された割り当てを含むＲＡタイプ２の場合、ＶＲＢからＰＲＢへのマッピングは、直接的ではない。目標は、周波数ダイバーシティを実現するために、連続的なＶＲＢをできる限り周波数全体に広げることである。そのような目的に達するために、基本的に２つのステップが存在する。第１のステップでは、インターリーブ機能を使用して、連続的なＶＲＢ対を分散されＶＲＢ対に分散する。第２のステップでは、周波数領域内の１つのＰＲＢ対の２つのスロットを、一定のギャップを含めてさらに分割する。
【発明の概要】
【発明が解決しようとする課題】
【０００７】
ＬＴＥのＤＬの場合の上記の３つのリソース割り当てタイプは、当業者によってよく知られているため、その詳細は、本明細書ではさらに説明されない。ＮＲ／５Ｇでは、ＰＤＳＣＨ／ＰＵＳＣＨのリソース割り当ては、今までのところ、まだ議論中である。
【課題を解決するための手段】
【０００８】
１つの非限定的な実施形態例は、コードブロックレベルのダイバーシティを均一に維持するために、ＮＲにおけるＰＤＳＣＨ／ＰＵＳＣＨのリソース割り当てを容易にする。
【０００９】
本開示の第１の一般的な態様では、リソース割り当てのセットの１つに基づいて物理リソースブロック（ＰＲＢ）をデータ送信に割り当てるように機能する回路と、ＰＲＢ上のデータをユーザ機器に送信するように機能する送信機とを備えている基地局が提供されており、このリソース割り当てのセットは、連続的に番号付けされた仮想リソースブロック（ＶＲＢ）をインターリーブし、インターリーブされたＶＲＢを周波数領域内の連続するＰＲＢにマッピングする、第１のリソース割り当てを含む。
【００１０】
本開示の第２の一般的な態様では、物理リソースブロック（ＰＲＢ）上で送信されたデータおよびリソース割り当て情報を基地局から受信するように機能する受信機と、リソース割り当て情報に基づいてデータを復号するように機能する回路とを備えているユーザ機器が提供されており、このリソース割り当て情報は、リソース割り当てのセットのどの１つに基づいてＰＲＢがデータ送信に割り当てられているかを示し、このリソース割り当てのセットは、連続的に番号付けされた仮想リソースブロック（ＶＲＢ）をインターリーブし、インターリーブされたＶＲＢを周波数領域内の連続するＰＲＢにマッピングする、第１のリソース割り当てを含む。
【００１１】
本開示の第３の一般的な態様では、リソース割り当て情報を基地局から受信するように機能する受信機と、リソース割り当て情報に基づいて物理リソースブロック（ＰＲＢ）をデータ送信に割り当てるように機能する回路と、ＰＲＢ上のデータを基地局に送信するように機能する送信機とを備えているユーザ機器が提供されており、このリソース割り当て情報は、リソース割り当てのセットのどの１つに基づいてＰＲＢがデータ送信に割り当てられているかを示し、このリソース割り当てのセットは、連続的に番号付けされた仮想リソースブロック（ＶＲＢ）をインターリーブし、インターリーブされたＶＲＢを周波数領域内の連続するＰＲＢにマッピングする、第４のリソース割り当てを含む。
【００１２】
本開示の第４の一般的な態様では、リソース割り当て情報をユーザ機器に送信するように機能する送信機と、リソース割り当て情報に基づいて割り当てられた物理リソースブロック（ＰＲＢ）上で送信されたデータをユーザ機器から受信するように機能する受信機と、データを復号するように機能する回路とを備えている基地局が提供されており、このリソース割り当て情報は、リソース割り当てのセットのどの１つに基づいてＰＲＢがデータ送信に割り当てられているかを示し、このリソース割り当てのセットは、連続的に番号付けされた仮想リソースブロック（ＶＲＢ）をインターリーブし、インターリーブされたＶＲＢを周波数領域内の連続するＰＲＢにマッピングする、第４のリソース割り当てを含む。
【００１３】
一般的な実施形態または特定の実施形態が、システム、方法、集積回路、コンピュータプログラム、記憶媒体、またはこれらの任意の選択的組み合わせとして実装されてよいことに留意されたい。
【００１４】
開示される実施形態のその他の利益および優位性が、本明細書および図面から明らかになるであろう。それらの利益および／または優位性は、本明細書および図面のさまざまな実施形態および特徴によって個別に得られてよく、それらの実施形態および特徴は、そのような利益および／または優位性のうちの１つまたは複数を得るために、すべて提供される必要はない。
【００１５】
本開示の前述の特徴およびその他の特徴が、添付の図面と併用される以下の説明および添付の特許請求の範囲から、さらに詳細に明らかになるであろう。これらの図面が、本開示に従っていくつかの実施形態のみを表しており、したがって、本開示の範囲の制限と見なされるべきではないことを理解して、添付の図面を使用することによって、追加の特殊性および詳細と共に、本開示が説明される。
【図面の簡単な説明】
【００１６】
【図１】ＮＲにおけるＶＲＢからＰＲＢへの直接マッピングに起因してコードブロック間で異なる可能性のある周波数ダイバーシティ性能を概略的に示す図である。
【図２】本開示の実施形態に従って基地局の一部のブロック図を示す図である。
【図３】本開示の実施形態に従って、局所的な割り当てを含むＮＲ  ＲＡタイプ１の場合に、ＶＲＢからＰＲＢにマッピングする例を概略的に示す図である。
【図４】本開示の実施形態に従って、ＮＲ  ＲＡタイプ０の場合に、ＶＲＢからＰＲＢにマッピングする例を概略的に示す図である。
【図５】本開示の実施形態に従って、分散された割り当てを含むＮＲ  ＲＡタイプ１の場合に、ＶＲＢからＰＲＢにマッピングする例を概略的に示す図である。
【図６】本開示の実施形態に従って、局所的な割り当てを含むＮＲ  ＲＡタイプ１の場合に、ＶＲＢからＰＲＢにマッピングする別の例を概略的に示す図である。
【図７】ＮＲにおける２つの重複する帯域幅の部分の事例を概略的に示す図である。
【図８】本開示の実施形態に従って、分散された割り当てを含むＮＲ  ＲＡタイプ１の場合に、ＶＲＢからＰＲＢにマッピングする別の例を概略的に示す図である。
【図９】本開示の実施形態に従ってユーザ機器の一部のブロック図を示す図である。
【図１０】本開示の実施形態に従って基地局の詳細のブロック図を示す図である。
【図１１】本開示の実施形態に従ってユーザ機器の詳細のブロック図を示す図である。
【図１２】本開示の実施形態に従って基地局とユーザ機器の間の通信のフローチャートの例を概略的に示す図である。
【図１３】本開示の実施形態に従って基地局の無線通信方法のフローチャートを示す図である。
【図１４】本開示の実施形態に従ってユーザ機器の無線通信方法のフローチャートを示す図である。
【図１５】本開示の別の実施形態に従ってユーザ機器の一部のブロック図を示す図である。
【図１６】本開示の別の実施形態に従って、局所的な割り当てを含むＮＲ  ＲＡタイプ１の場合に、ＶＲＢからＰＲＢにマッピングする例を概略的に示す図である。
【図１７】本開示の別の実施形態に従って基地局の一部のブロック図を示す図である。
【図１８】本開示の実施形態に従って基地局とユーザ機器の間の通信のフローチャートの別の例を概略的に示す図である。
【図１９】本開示の別の実施形態に従ってユーザ機器の無線通信方法のフローチャートを示す図である。
【図２０】本開示の別の実施形態に従って基地局の無線通信方法のフローチャートを示す図である。
【発明を実施するための形態】
【００１７】
以下の詳細な説明では、本明細書の一部を形成する添付の図面に対する参照が行われる。図面では、文脈によって特に定められない限り、類似する記号は通常、類似する構成要素を識別する。本開示の態様が、多種多様な異なる構成で配置されること、代替されること、組み合わせられること、および設計されることが可能であり、そのすべてが明示的に企図され、本開示の一部になることが、容易に理解されるであろう。
【００１８】
ＮＲでは、ＤＬの２つのＲＡタイプが合意された。１つは、ＬＴＥにおけるＲＡタイプ０と同じであるＲＡタイプ０であり、やはりビットマップインジケーションに基づく。もう１つは、ＬＴＥにおけるＲＡタイプ２と同じであるＲＡタイプ１であり、やはり、局所的な割り当てを含むＲＡタイプ１および分散された割り当てを含むＲＡタイプ１に分割される。本明細書では、これら２つのタイプをＬＴＥにおける３つのタイプと区別するために、ＮＲにおけるＲＡタイプ０をＮＲ  ＲＡタイプ０と呼び、ＮＲにおけるＲＡタイプ１をＮＲ  ＲＡタイプ１と呼ぶ。
【００１９】
ＮＲのリソース割り当ての問題（特に、局所的な（連続的な）割り当てを含むＮＲ  ＲＡタイプ０およびＮＲ  ＲＡタイプ１の場合）は、異なるコードブロックが異なる周波数で割り当てられるため、送信ブロック（ＴＢ）内の異なるコードブロックが異なるダイバーシティ性能を有することがあることである。図１は、ＮＲにおけるＶＲＢからＰＲＢへの直接マッピングに起因してコードブロック間で異なる可能性のある周波数ダイバーシティ性能を概略的に示している。図１の上部では、各ボックスがＶＲＢを表し、ＶＲＢの番号（すなわち、インデックス）がボックス内に示されている。図１の下部では、各ボックスがＰＲＢを表し、ＰＲＢの番号（すなわち、インデックス）が、細い矢印に沿ってボックスの上に示されている。ＰＲＢを表す各ボックス内の番号は、それらのＰＲＢにマッピングされたＶＲＢの番号（すなわち、インデックス）を示す。キャリア帯域幅全体が２５ＰＲＢであることが、仮定される。
【００２０】
図１の上部に示されているように、０、１、２、３、４、５で番号付けされた（すなわち、インデックス０、１、２、３、４、５付きの）連続する６つのＶＲＢが、左スラッシュで塗りつぶされたボックスによって示されているように、コードブロック１に使用されており、６、７、８、９、１０、１１で番号付けされた（すなわち、インデックス６、７、８、９、１０、１１付きの）連続する６つのＶＲＢが、右スラッシュで塗りつぶされたボックスによって示されているように、コードブロック２に使用されている。ＬＴＥにおける局所的な割り当てを含むＲＡタイプ０およびＲＡタイプ１に採用されているように、ＶＲＢからＰＲＢへの直接マッピングを採用することが仮定される場合、図１の下部に示されているように、０、１、２、３、４、５、６、７、８、９、１０、１１で番号付けされたＶＲＢが、０、１、２、３、４、５、６、７、８、９、１０、１１で番号付けされたＰＲＢにそれぞれマッピングされる。すなわち、同じインデックスを有するＶＲＢとＰＲＢの間には、１対１のマッピングが存在する。
【００２１】
この場合、コードブロック１およびコードブロック２は、異なる周波数でそれぞれ割り当てられる。一部のコードブロック（図１のコードブロック１など）が良好な周波数ダイバーシティを有するが、他のコードブロック（図１のコードブロック２など）が周波数ダイバーシティ不良を有するという可能性がある。この問題は、周波数ダイバーシティを実現するためにホッピングメカニズムのみを有するアップリンクリソース割り当てにも存在する。
【００２２】
上記を考慮して、本開示の実施形態では、図２に示されているような基地局が提供されている。図２は、本開示の実施形態に従って基地局２００の一部のブロック図を示している。図２に示されているように、ＢＳ２００は回路２１０および送信機２２０を含んでよい。回路２１０は、リソース割り当てのセットの１つに基づいて、物理リソースブロック（ＰＲＢ）をデータ送信に割り当てるように機能する。送信機２２０は、ＰＲＢ上のデータをユーザ機器に送信するように機能する。このリソース割り当てのセットは、連続的に番号付けされた仮想リソースブロック（ＶＲＢ）をインターリーブし、インターリーブされたＶＲＢを周波数領域内の連続するＰＲＢにマッピングする、第１のリソース割り当てを含む。
【００２３】
本明細書では、理解を容易にするために、局所的な割り当てを含むＮＲ  ＲＡタイプ１が、第１のリソース割り当ての例として選択される。具体的には、図３が、本開示の実施形態に従って、局所的な割り当てを含むＮＲ  ＲＡタイプ１の場合に、ＶＲＢからＰＲＢにマッピングする例を概略的に示している。
【００２４】
図１と同様に、図３の上部では、各ボックスがＶＲＢを表し、ＶＲＢの番号（すなわち、インデックス）がボックス内に示されている。図３の下部では、各ボックスがＰＲＢを表し、ＰＲＢの番号（すなわち、インデックス）が、細い矢印に沿ってボックスの上に示されている。ＰＲＢを表す各ボックス内の番号は、それらのＰＲＢにマッピングされたＶＲＢの番号（すなわち、インデックス）を示す。キャリア帯域幅全体が２５ＰＲＢであることが、仮定される。図３の上部に示されているように、０、１、２、３、４、５で番号付けされた（すなわち、インデックス０、１、２、３、４、５付きの）連続する６つのＶＲＢが、左スラッシュで塗りつぶされたボックスによって示されているように、コードブロック１に使用されており、６、７、８、９、１０、１１で番号付けされた（すなわち、インデックス６、７、８、９、１０、１１付きの）連続する６つのＶＲＢが、右スラッシュで塗りつぶされたボックスによって示されているように、コードブロック２に使用されている。
【００２５】
図１とは異なり、図３では、ＶＲＢからＰＲＢへの直接マッピングの代わりに、２つのコードブロック内でインターリーブが適用される。例えば、ブロックインターリーバ３０１（すなわち、６行および４列の長方形の行列）が、図３の左上隅に示されている。この例では、ブロックインターリーバ３０１の上側の３行（図３では破線で示されている）が、０、１、２、３、４、５、６、７、８、９、１０、１１で番号付けされた連続する１２個のＶＲＢ間でインターリーブを実行するために、回路２１０によって使用されてよい。ブロックインターリーバ３０１は、後でさらに詳細に説明される。次に、インターリーブされたこれら１２個のＶＲＢが、１２個の連続するＰＲＢ（すなわち、周波数領域内の連続する１２個のＰＲＢ）にマッピングされる。図３の下部に示されているように、０、４、８、１、５、９、２、６、１０、３、７、１１で番号付けされたＶＲＢが、０、１、２、３、４、５、６、７、８、９、１０、１１で番号付けされたＰＲＢにそれぞれマッピングされる。
【００２６】
このようにして、図３の下部で、左スラッシュで塗りつぶされたボックスによって示されているように、コードブロック１に使用される０、１、２、３、４、５で番号付けされたＶＲＢが、インターリーブによって連続しない周波数で分散される。また、図３の下部で、右スラッシュで塗りつぶされたボックスによって示されているように、コードブロック２に使用される６、７、８、９、１０、１１で番号付けされたＶＲＢが、インターリーブによって連続しない周波数で分散される。コードブロック１および２に関して、割り当てられたＰＲＢが、割り当てられた帯域幅内で、できる限り分散される。
【００２７】
ＬＴＥにおける局所的な割り当てを含むＲＡタイプ２と比較して、これら２つのコードブロック内でインターリーブが適用されるため、これら２つのコードブロック間で、ダイバーシティ利得が均一になる。加えて、インターリーブが、帯域幅全体の代わりに、これら２つのコードブロック内のみで適用される（すなわち、割り当てられたＶＲＢに対してインターリーブが実行される）ため、コードブロックがマッピングされる周波数位置が、全体的に変化しない。したがって、空白のボックスで示されている、１２、１３、１４、１５、１６、１７、１８、１９、２０、２１、２２、２３、２４で番号付けされた他のＶＲＢは、コードブロック１および２内のインターリーブによる影響を受けない。これらの空白のＶＲＢは、任意の他のコードブロックに使用されてよく、それらのコードブロック内で独立してインターリーブされてもよい。
【００２８】
さらに、局所的な割り当てを含むＮＲ  ＲＡタイプ１のシグナリングは、ＬＴＥにおける局所的な割り当てを含むＲＡタイプ２のシグナリングと同じであってよく、すなわち、開始位置インジケーションおよび割り当てられたサイズを使用してよい。それによって、スケジューリング利得に対する影響がない。
【００２９】
本開示の実施形態に従って、リソース割り当てのセットは、連続的に番号付けされたＶＲＢをインターリーブし、インターリーブされたＶＲＢを、周波数領域内の位置がビットマップによって示されるＰＲＢにマッピングする、第２のリソース割り当てをさらに含んでよい。
【００３０】
本明細書では、理解を容易にするために、ＮＲ  ＲＡタイプ０が、第２のリソース割り当ての例として選択される。具体的には、図４が、本開示の実施形態に従って、ＮＲ  ＲＡタイプ０の場合に、ＶＲＢからＰＲＢにマッピングする例を概略的に示している。
【００３１】
ここでは、図３と異なり、説明を簡単にするために、回路２１０の動作が、ＶＲＢのインターリーブおよびＶＲＢからＰＲＢへのマッピングという２つのステップに、さらに分割される。図４の上部は、コードブロック１および２に割り当てられたＶＲＢの元の配置を示している。すなわち、０、１、２、３、４、５で番号付けされた（すなわち、インデックス０、１、２、３、４、５付きの）連続する６つのＶＲＢが、左スラッシュで塗りつぶされたボックスによって示されているように、コードブロック１に使用されており、６、７、８、９、１０、１１で番号付けされた（すなわち、インデックス６、７、８、９、１０、１１付きの）連続する６つのＶＲＢが、右スラッシュで塗りつぶされたボックスによって示されているように、コードブロック２に使用されている。
【００３２】
図４の中央部は、インターリーブ後のこれらのＶＲＢの配置を示している。例えば、図４の左上隅に示されているように、ここでは、図３のブロックインターリーバと同じブロックインターリーバ３０１が使用されている。
【００３３】
図１と同様に、図３の上部および中央部では、各ボックスがＶＲＢを表し、ＶＲＢの番号（すなわち、インデックス）がボックス内に示されている。図３の下部では、各ボックスがＰＲＢを表し、ＰＲＢの番号（すなわち、インデックス）が、細い矢印に沿ってボックスの上に示されている。ＰＲＢを表す各ボックス内の番号は、それらのＰＲＢにマッピングされたＶＲＢの番号（すなわち、インデックス）を示す。キャリア帯域幅全体が２５ＰＲＢであることが、やはり仮定される。図４左上隅に示されているように、回路２１０は、図４の破線によって示されているブロックインターリーバ３０１の上側の３行を使用して、０、１、２、３、４、５、６、７、８、９、１０、１１で番号付けされた連続する１２個のＶＲＢ間でインターリーブを実行してもよい。図４の中央部に示されているように、ＶＲＢのインターリーブの後に、インデックス０、４、８、１、５、９、２、６、１０、３、７、１１の順序で、これらのＶＲＢが配置される。ブロックインターリーバ３０１は、後でさらに詳細に説明される。
【００３４】
次に、図４の下部に示されているように、インターリーブ後のこれら１２個のＶＲＢが、１２個のＰＲＢにマッピングされる。局所的な割り当てを含むＮＲ  ＲＡタイプ１の場合の図３とは異なり、割り当てられたＰＲＢがビットマップによって示されるため、周波数領域内のそれらのＰＲＢの位置は、連続していなくてよい。例えば、ビットマップが１０１００１０１０１１０であり、ビットマップの各ビットの粒度が２ＰＲＢであることが仮定され、「１」は対応する２ＰＲＢが割り当てられることを示し、「０」は対応する２ＰＲＢが割り当てられないことを示す。インデックス（番号）０、１、４、５、１０、１１、１４、１５、１８、１９、２０、２１のＰＲＢがデータ送信に割り当てられることが、このビットマップから導き出され得る。したがって、図４の下部に示されているように、０、４、８、１、５、９、２、６、１０、３、７、１１で番号付けされたＶＲＢが、０、１、４、５、１０、１１、１４、１５、１８、１９、２０、２１で番号付けされたＰＲＢにそれぞれマッピングされる。
【００３５】
ＮＲ  ＲＡタイプ０と局所的な割り当てを含むＮＲ  ＲＡタイプ１との間の違いが、リソース割り当てのシグナリングだけであることに留意されたい。具体的には、前述したように、ＮＲ  ＲＡタイプ０は、ＬＴＥにおけるＲＡタイプ０と同様に、ビットマップを使用してリソース割り当てを示す。局所的な割り当てを含むＮＲ  ＲＡタイプ１は、ＬＴＥにおける局所的な割り当てを含むＲＡタイプ２と同様に、ＮＲ  ＲＡタイプ０と比較してシグナリングを節約することができるように、開始位置インジケーションおよび割り当てられたサイズを使用する。したがって、局所的な割り当てを含むＮＲ  ＲＡタイプ１の場合に得られる上記の利点が、ＮＲ  ＲＡタイプ０の場合にも得られる。
具体的には、ＬＴＥにおけるＲＡタイプ０と比較して、ＮＲ  ＲＡタイプ０の場合、これら２つのコードブロック内でインターリーブが適用されるため、これら２つのコードブロック間で、ダイバーシティ利得が均一になる。加えて、インターリーブが、帯域幅全体の代わりに、これら２つのコードブロック内のみで適用される（すなわち、割り当てられたＶＲＢに対してインターリーブが実行される）ため、コードブロックがマッピングされる周波数位置が、全体的に変化しない。さらに、スケジューリング利得に対する影響がない。
【００３６】
上記の特定のビットマップの例が単なる例示であり、本開示がそれに限定されないことに留意されたい。例えば、ビットマップは、データ送信に割り当てられた連続するＰＲＢ（例えば、１１１１１１１１１１１１）を示してもよい。
【００３７】
本開示の実施形態に従って、リソース割り当てのセットは、連続的に番号付けされたＶＲＢをインターリーブし、インターリーブされたＶＲＢを、指定された周波数範囲内または構成された周波数範囲内の周波数領域内で連続しないＰＲＢにマッピングする、第３のリソース割り当てをさらに含んでよい。
【００３８】
本明細書では、理解を容易にするために、分散された割り当てを含むＮＲ  ＲＡタイプ１が、第３のリソース割り当ての例として選択される。具体的には、図５が、本開示の実施形態に従って、分散された割り当てを含むＮＲ  ＲＡタイプ１の場合に、ＶＲＢからＰＲＢにマッピングする例を概略的に示している。
【００３９】
図３および４と同様に、図５の上部は、コードブロック１および２に割り当てられたＶＲＢの元の配置を示している。すなわち、０、１、２、３、４、５で番号付けされた（すなわち、インデックス０、１、２、３、４、５付きの）連続する６つのＶＲＢが、左スラッシュで塗りつぶされたボックスによって示されているように、コードブロック１に使用されており、６、７、８、９、１０、１１で番号付けされた（すなわち、インデックス６、７、８、９、１０、１１付きの）連続する６つのＶＲＢが、右スラッシュで塗りつぶされたボックスによって示されているように、コードブロック２に使用されている。図５の上部では、各ボックスがＶＲＢを表し、ＶＲＢの番号（すなわち、インデックス）がボックス内に示されている。キャリア帯域幅全体が２５ＰＲＢであることが、やはり仮定される。
【００４０】
ここでは、図５の左上隅に示されているように、ブロックインターリーバ３０１が、やはり使用されている。図３（局所的な割り当てを含むＮＲ  ＲＡタイプ１）および図４（ＮＲ  ＲＡタイプ０）との違いは、ブロックインターリーバ３０１全体（すなわち、その６行すべて）が、分散された割り当てを含むＮＲ  ＲＡタイプ１に使用される点である。すなわち、コードブロック１および２に使用されるこれら１２個のＶＲＢだけでなく、インデックス１２、１３、１４、１５、１６、１７、１８、１９、２０、２１、２２、２３の他のＶＲＢもインターリーブされる。その結果、図５の下部に示されているように、０、１、２、３、４、５、６、７、８、９、１０、１１で番号付けされたＶＲＢが、０、６、１２、１８、１、７、１３、１９、２、８、１４、２０（スロット番号０によって示されたボックスの行内に示されている）で番号付けされたＰＲＢにそれぞれマッピングされる。２つのスロットの詳細は、後で説明される。
【００４１】
それによって、ＬＴＥにおける分散された割り当てを含むＲＡタイプ２に類似した良好な周波数ダイバーシティ性能を得るために、割り当てられたＶＲＢをシステム帯域幅内のＰＲＢにできる限り分散することが試みられるように、インターリーブが、システム帯域幅のほぼ全体に基づく。
【００４２】
図５に示されているようなインターリーブがシステム帯域幅のほぼ全体に基づくケースは、単に例示のためであり、本開示がそれに限定されないことに留意されたい。インターリーブが基づく周波数範囲は、帯域幅全体、あるいは、例えば規格によって指定されるか、または任意の適切なシグナリングによって構成されてよい、帯域幅全体の任意のサブセットであってよい。
【００４３】
本開示の実施形態に従って、インターリーブ後に、第３のリソース割り当てが、各ＶＲＢのスロットごとに周波数ギャップをさらに導入してよい。
【００４４】
具体的には、図５の下部に示されているように、各ＶＲＢが、ＰＲＢの２つのスロット（すなわち、スロット番号０およびスロット番号１）にそれぞれ対応する、時間領域内の２つの部分にさらに分割される。次に、ＶＲＢごとに、周波数ギャップが２つの部分（２つのスロット）の間に挿入される。本明細書では、周波数ギャップとは、ＶＲＢの２つのスロット間の周波数距離のことである。周波数ギャップが１２であることが仮定される。すなわち、図５に示されているように、例えばＶＲＢ０の場合、その第１の部分がＰＲＢ０のスロット番号０にマッピングされ、その第２の部分がＰＲＢ１２のスロット番号１にマッピングされる。同じことが、他のＶＲＢにも適用される。周波数ギャップの導入によって、ＶＲＢごとの周波数ダイバーシティがさらに増える。
【００４５】
この周波数ギャップの導入は、ＬＴＥにおける分散された割り当てを含むＲＡタイプ２の場合と同様であるため、本開示の発明の要点が混乱するのを防ぐために、本明細書ではその詳細はさらに説明されない。図５に示されているように、１２の周波数ギャップが導入されているが、分散された割り当てを含むＮＲ  ＲＡタイプ１の場合、いずれかの周波数ギャップを導入することは必要ではない、ことに留意されたい。
【００４６】
前述したように、リソース割り当てのセットは、上記の３つのタイプを含んでよく、回路２１０は、特定の環境（チャネルの状態、品質要件、システム性能など）に従って、それらのタイプのうちの１つを選択してよい。ＬＴＥとは異なり、ＮＲでは、リソース割り当ての３つのタイプすべてに対してインターリーブが実行され、同じブロックインターリーバが使用され、コードブロックレベルのダイバーシティを均一に維持しながら、ブロックインターリーバの設計が簡略化される。
【００４７】
前述したように、第１のリソース割り当ては、ＮＲのダウンリンクの場合の局所的な割り当てを含むＲＡタイプ１に対応してよく、第２のリソース割り当ては、ＮＲのダウンリンクの場合のＲＡタイプ０に対応してよく、第３のリソース割り当ては、ＮＲのダウンリンクの場合の分散された割り当てを含むＲＡタイプ１に対応してよい。しかし、本開示はそれに限定されず、これら３つの割り当ては、リソース割り当ての任意のその他の適切なタイプに対応してよい。
【００４８】
本開示の実施形態に従って、第１のリソース割り当ておよび第２のリソース割り当てが、ブロックインターリーバのサブセットに基づいてインターリーブを実行し、このブロックインターリーバに基づいて第３のリソース割り当てがインターリーブを実行し、このブロックインターリーバは、ＬＴＥにおいて使用されるブロックインターリーバに基づくか、または構成されたリソースブロックグループ（ＲＢＧ）のサイズに応じて他のかたちで構成される。
【００４９】
具体的には、図３〜５に示されているように、ブロックインターリーバ３０１の上側の３行のみが、ＮＲ  ＲＡタイプ０および局所的な割り当てを含むＮＲ  ＲＡタイプ１に使用され、一方、ブロックインターリーバ３０１の全体が、分散された割り当てを含むＮＲ  ＲＡタイプ１に使用される。
【００５０】
加えて、一例として、ブロックインターリーバ３０１は、ＬＴＥにおける分散された割り当てを含むＲＡタイプ２に使用されるＬＴＥのブロックインターリーバに基づく。ＲＡタイプ２に使用されるＬＴＥのブロックインターリーバは、４列およびＮｒｏｗ行を含み、Ｎｒｏｗは
【数１】
2021503189.tif 000003
によって定義され、Ｐは３ＧＰＰ  ＴＳ  ３６．２１３に記載されているＲＢＧのサイズである。加えて、３ＧＰＰ  ＴＳ  ３６．２１３において定義されているように、Ｎｇａｐ＝Ｎｇａｐ，１の場合、
【数２】
2021503189.tif 000004
およびＮＤＬＶＲＢ＝ＮＤＬＶＲＢ，ｇａｐ１＝２・ｍｉｎ（Ｎｇａｐ，ＮＤＬＲＢ−Ｎｇａｐ）であり、Ｎｇａｐ＝Ｎｇａｐ，２の場合、
【数３】
2021503189.tif 000005
である。ＮＤＬＲＢはシステム帯域幅内のＰＲＢの数である。Ｎｇａｐは、ＰＲＢ対の２つのスロット間のＰＲＢに関して指定された周波数距離であり、ＬＴＥでは、分散された割り当てを含むＲＡタイプ２に対して定義される。
【００５１】
図３〜５に示されたブロックインターリーバ３０１が単なる例であり、本開示がそれに限定されないことに留意されたい。
【００５２】
ＮＲでは、ＲＢＧのサイズは、ＬＴＥにおけるように指定される代わりに、構成され得る。分散された割り当てを含むＮＲ  ＲＡタイプ１に使用される基本的なブロックインターリーバは、構成されたＲＢＧのサイズに応じて異なってよい。したがって、ＮＲ  ＲＡタイプ０および連続する割り当てを含むＮＲ  ＲＡタイプ１の両方に使用されるブロックインターリーバ（すなわち、基本的なブロックインターリーバのサブセット）も、構成されたＲＢＧのサイズに応じて異なってよい。このようにして、ブロックインターリーバの設計がより柔軟になり得る。
【００５３】
本開示の実施形態に従って、ブロックインターリーバは、ＶＲＢ番号を行ごとに書き込み、列ごとに読み出し、ブロックインターリーバのサブセットの行の数Ｎｒｏｗは、
【数４】
2021503189.tif 000006
によって決定され、
【数５】
2021503189.tif 000007
は、割り当てられたＶＲＢの数を示し、Ｎｃｏｌｕｍｎはブロックインターリーバの列の数であり、ブロックインターリーバの列の数Ｎｃｏｌｕｍｎは指定または構成される。
【００５４】
具体的には、図５に示されているように、インターリーブを実行するために、０〜２３のＶＲＢ番号が、「書き込み」によって示された矢印で示されているように、行ごとに４列の長方形の行列に書き込まれ、「読み取り」によって示された矢印で示されているように、列ごとに読み出される。
【００５５】
前述したようにＮＲ  ＲＡタイプ０および連続する割り当てを含むＮＲ  ＲＡタイプ１の場合、ブロックインターリーバ３０１のサブセットのみがインターリーブに使用される。ブロックインターリーバ３０１のサブセットは、ブロックインターリーバ３０１のすべての行の代わりに、一部の行を意味する。ここで、ブロックインターリーバのサブセットの行の数は、
【数６】
2021503189.tif 000008
によって決定されてよい。図３および４に示された例では、Ｎｃｏｌｕｍｎ＝４であり、割り当てられたＶＲＢの数が１２であるため、Ｎｒｏｗ＝３である。
【００５６】
ブロックインターリーバの列の数Ｎｃｏｌｕｍｎが、前述したように、例えば規格によって４と指定されてよいことに留意されたい。ただし、本開示はこれに限定されない。ブロックインターリーバの列の数Ｎｃｏｌｕｍｎは、特定の環境に応じて構成されることも可能である。例えば、ブロックインターリーバの列の数Ｎｃｏｌｕｍｎは、３として構成されてよい。図６は、本開示の実施形態に従って、局所的な割り当てを含むＮＲ  ＲＡタイプ１の場合に、ＶＲＢからＰＲＢにマッピングする別の例を概略的に示している。
【００５７】
図６では、重複を避けるために、図３の内容と同じ内容は説明されない。図６では、この例においてブロックインターリーバ６０１が使用されるという点が図３と異なっている。図６に示されているように、ブロックインターリーバ６０１は３列を含んでおり、上記の方程式に従って、Ｎｒｏｗ＝４である。すなわち、図６の破線で示されているように、ブロックインターリーバ６０１の上側の４行が、局所的な割り当てを含むＮＲ  ＲＡタイプ１に使用される。その結果、ＶＲＢのインターリーブの後に、図６の下部に示されているように、インデックス０、３、６、９、１、４、７、１０、２、５、８、１１のＶＲＢがインデックス０〜１１のＰＲＢにそれぞれマッピングされる。
【００５８】
各ＶＲＢがマッピングされている周波数領域内の特定の位置は、図３と図６の間で異なっているが、どちらの例でも同じ利点が得られる。加えて、ブロックインターリーバの設計がより柔軟になり得る。
【００５９】
本開示の実施形態に従って、指定された周波数範囲または構成された周波数範囲は、キャリア帯域幅全体以下であるか、またはキャリア帯域幅の一部である。
【００６０】
図５を参照して前述したように、分散された割り当てを含むＮＲ  ＲＡタイプ１の場合、良好な周波数ダイバーシティ性能を得るために、割り当てられたＶＲＢをシステム帯域幅内のＰＲＢにできる限り分散することが試みられる。したがって、インターリーブがシステム帯域幅全体に基づくのが好ましい。ＮＲでは、キャリア帯域幅が、帯域幅の部分にさらに分割される可能性がある。したがって、その場合は、インターリーブが帯域幅の部分全体に基づくのが好ましい。ただし、本開示はこれに限定されない。
【００６１】
図７は、ＮＲにおける２つの重複する帯域幅の部分の事例を概略的に示している。図７に示されているように、ＵＥ１のＢＷＰおよびＵＥ２のＢＷＰが、格子線で塗りつぶされた領域によって示されているように、重複している。この場合、ＵＥ１に割り当てられたＰＲＢが帯域幅全体（すなわち、点で塗りつぶされた領域および格子線で塗りつぶされた領域）に広がっているときに、リソースをＵＥ２に割り当てることは困難である。そのため、分散された割り当てを含むＮＲ  ＲＡタイプ１の場合でも、ＵＥ１に割り当てられたＰＲＢが帯域幅の前半（点で塗りつぶされた領域）のみに制限された場合、ＵＥ１とＵＥ２の間の衝突が回避され得る。
【００６２】
図８は、本開示の実施形態に従って、分散された割り当てを含むＮＲ  ＲＡタイプ１の場合に、ＶＲＢからＰＲＢにマッピングする別の例を概略的に示している。図８では、重複を避けるために、図５の内容と同じ内容は説明されない。図８では、ブロックインターリーバ３０１全体の代わりに、ブロックインターリーバ３０１の上側の４行が分散された割り当てを含むＮＲ  ＲＡタイプ１に使用される点のみが、図５と異なっている。その結果、１２個の連続するＶＲＢが、図５に示されているように帯域幅全体ではなく、制限された帯域幅に分散される（すなわち、ＰＲＢ０〜１４にわたって広がる）。
【００６３】
ＬＴＥにおける分散された割り当てを含むＲＡタイプ１とは異なり、分散された割り当てを含むＮＲ  ＲＡタイプ１の場合のブロックインターリーバの行の数は、衝突などの特定の環境に応じて構成されてもよい。それによって、ＮＲにおけるブロックインターリーバの柔軟な設計による分散の場合、広がった帯域幅をより柔軟に制御することができる。
【００６４】
図３〜６および８に示されているように、ＶＲＢが１つのコードブロックに基づいて割り当てられることに留意されたい。ただし、これは単なる例示であり、本開示はこれに限定されない。明らかに、ＶＲＢは、特定の環境に応じて、さらに多くのコードブロックに基づいて、または任意のその他の適切な単位で、割り当てられてよい。
【００６５】
上記では、図２〜８を参照して、ＢＳ２００が詳細に説明されている。ＢＳ２００では、異なるコードブロック内でインターリーブを適用することによって、コードブロック間でダイバーシティ利得が均一になると同時に、スケジューリング利得に対する影響がない。
【００６６】
本開示の別の実施形態では、図９に示されているようなユーザ機器が提供されている。図９は、本開示の実施形態に従ってユーザ機器９００の一部のブロック図を示している。図９に示されているように、ＵＥ９００は、受信機９１０および回路９２０を備えてよい。受信機９１０は、物理リソースブロック（ＰＲＢ）上で送信されたデータおよびリソース割り当て情報を基地局から受信するように機能する。回路９２０は、リソース割り当て情報に基づいてデータを復号するように機能する。リソース割り当て情報は、リソース割り当てのセットのどの１つに基づいてＰＲＢがデータ送信に割り当てられているかを示す。このリソース割り当てのセットは、連続的に番号付けされた仮想リソースブロック（ＶＲＢ）をインターリーブし、インターリーブされたＶＲＢを周波数領域内の連続するＰＲＢにマッピングする、第１のリソース割り当てを含む。例えば、基地局は、図２に示されているようなＢＳ２００であってよい。
【００６７】
本開示の実施形態に従って、リソース割り当てのセットは、連続的に番号付けされたＶＲＢをインターリーブし、インターリーブされたＶＲＢを、周波数領域内の位置がビットマップによって示されるＰＲＢにマッピングする、第２のリソース割り当てをさらに含んでよい。
【００６８】
本開示の実施形態に従って、リソース割り当てのセットは、連続的に番号付けされたＶＲＢをインターリーブし、インターリーブされたＶＲＢを、既定の周波数範囲内の周波数領域内で連続しないＰＲＢにマッピングする、第３のリソース割り当てをさらに含んでよい。
【００６９】
本開示の実施形態に従って、第１のリソース割り当ておよび第２のリソース割り当てが、ブロックインターリーバのサブセットに基づいてインターリーブを実行してよく、このブロックインターリーバに基づいて第３のリソース割り当てがインターリーブを実行し、このブロックインターリーバは、ＬＴＥにおいて使用されるブロックインターリーバに基づくか、または構成されたリソースブロックグループ（ＲＢＧ）のサイズに応じて他のかたちで構成される。
【００７０】
本開示の実施形態に従って、ブロックインターリーバは、ＶＲＢ番号を行ごとに書き込み、列ごとに読み出し、ブロックインターリーバのサブセットの行の数Ｎｒｏｗは、
【数７】
2021503189.tif 000009
によって決定され、
【数８】
2021503189.tif 000010
は、割り当てられたＶＲＢの数を示し、Ｎｃｏｌｕｍｎはブロックインターリーバの列の数であり、ブロックインターリーバの列の数Ｎｃｏｌｕｍｎは指定または構成される。
【００７１】
本開示の実施形態に従って、指定された周波数範囲または構成された周波数範囲は、キャリア帯域幅全体以下であるか、またはキャリア帯域幅の一部である。
【００７２】
本開示の実施形態に従って、インターリーブ後に、第３のリソース割り当てが、各ＶＲＢのスロットごとに周波数ギャップをさらに導入する。
【００７３】
本開示の実施形態に従って、第１のリソース割り当ては、ＮＲのダウンリンクの場合の局所的な割り当てを含むＲＡタイプ１に対応し、第２のリソース割り当ては、ＮＲのダウンリンクの場合のＲＡタイプ０に対応し、第３のリソース割り当ては、ＮＲのダウンリンクの場合の分散された割り当てを含むＲＡタイプ１に対応する。
【００７４】
ＵＥ９００では、異なるコードブロック内でインターリーブを適用することによって、コードブロック間でダイバーシティ利得が均一になると同時に、スケジューリング利得に対する影響がない。
【００７５】
図１０は、本開示の実施形態に従って基地局１０００の詳細のブロック図を示している。
【００７６】
基地局１０００は、ｎ個のエンコーディングおよび変調セクション１０１０−１〜１０１０−ｎを備えており、これらのエンコーディングおよび変調セクションはそれぞれ、送信データ番号１〜送信データ番号ｎのためのエンコーディングユニット１００１（１００１−１〜１００１−ｎ）および変調ユニット１００２（１００２−１〜１００２−ｎ）を備えている。エンコーディングおよび変調セクション１０１０−１〜１０１０−ｎでは、エンコーディングユニット１００１−１〜１００１−ｎが送信データ番号１〜番号ｎに対してエンコーディング処理をそれぞれ実行し、変調ユニット１００２−１〜１００２−ｎがエンコーディング後の送信データに対して変調処理を実行して、データシンボルをそれぞれ生成する。この時点で使用される符号化率および変調方式は、適応制御ユニット１０２４から入力されたＭＣＳ（変調・符号化方式）情報に従ってよい。
【００７７】
リソース割り当てユニット１０１１は、適応制御ユニット１０２４からの制御に従ってデータシンボルをＰＲＢに割り当て、多重化ユニット１０１２への出力を実行する。さらに具体的には、リソース割り当てユニット１０１１は、前述したように、ＶＲＢのインターリーブを実行してから、ＶＲＢからＰＲＢへのマッピングを実行してよい。リソース割り当てユニット１０１１は、リソース割り当て情報を制御情報生成ユニット１０１３に出力してもよい。例えば、リソース割り当てユニット１０１１によってＮＲ  ＲＡタイプ０が使用される場合、リソース割り当て情報がビットマップを含んでよい。または、リソース割り当てユニット１０１１によって局所的な割り当てを含むＮＲ  ＲＡタイプ１が使用される場合、リソース割り当て情報が開始周波数位置および割り当てられたサイズを含んでよい。
【００７８】
制御情報生成ユニット１０１３は、適応制御ユニット１０２４から入力されたリソース割り当て情報およびＭＣＳ情報を含む制御情報を生成し、この制御情報をエンコーディングユニット１０１４に出力する。
【００７９】
エンコーディングユニット１０１４は、制御情報に対してエンコーディング処理を実行し、変調ユニット１０１５は、エンコーディング後の制御情報に対して変調処理を実行し、制御情報を多重化ユニット１０１２に出力する。
【００８０】
多重化ユニット１０１２は、リソース割り当てユニット１０１１から入力されたデータシンボルを含む制御情報を多重化し、結果として得られた信号をＩＦＦＴ（逆高速フーリエ変換）ユニット１０１６に出力する。制御情報の多重化は、例えば、サブフレームごとに実行される。時間領域の多重化または周波数領域の多重化のいずれかが制御情報の多重化に使用されてよいことに留意されたい。
【００８１】
ＩＦＦＴユニット１０１６は、制御情報およびデータシンボルがマッピングされたＰＲＢ内の複数のサブキャリアに対してＩＦＦＴ処理を実行し、マルチキャリア信号であるＯＦＤＭ（直交周波数分割多重）シンボルを生成する。ＣＰ（サイクリックプレフィックス）追加ユニット１０１７は、ＯＦＤＭシンボルの末端部と同一の信号を、ＯＦＤＭシンボルの先頭にＣＰとして追加する。無線送信ユニット１０１８は、ＣＰ追加後のＯＦＤＭシンボルに対してＤ／Ａ変換、増幅、およびアップコンバートなどの送信処理を実行し、その結果をアンテナ１０１９から１つまたは複数のユーザ機器に送信する。
【００８２】
一方、無線受信ユニット１０２０は、１つまたは複数のユーザ機器から送信されたｎ個のＯＦＤＭシンボルをアンテナ１０１９を介して受信し、それらのＯＦＤＭシンボルに対してダウンコンバートおよびＡ／Ｄ変換などの受信処理を実行する。ＣＰ除去ユニット１０２１は、受信処理後のＯＦＤＭシンボルからＣＰを除去する。
【００８３】
ＦＦＴ（高速フーリエ変換）ユニット１０２２は、ＣＰ除去後のＯＦＤＭシンボルに対してＦＦＴ処理を実行して、周波数領域内で多重化された信号を取得する。ここで、信号は、ユーザ機器から報告された受信品質情報を含んでよい。ユーザ機器は、受信品質の測定を実行できる。受信品質情報は、ＣＱＩ（Ｃｈａｎｎｅｌ  Ｑｕａｌｉｔｙ  Ｉｎｄｉｃａｔｏｒ：チャネル品質指標）、ＣＳＩ（チャネル状態情報）などとして表されてよい。
【００８４】
復調および復号セクション１０２３−１〜１０２３−ｎでは、復調ユニット１００４−１〜１００４−ｎがＦＦＴ後の信号に対して復調処理をそれぞれ実行し、復号ユニット１００３−１〜１００３−ｎが復調後の信号に対して復号処理をそれぞれ実行する。このようにして、受信されたデータが取得される。受信されたデータ内の受信品質情報が適応制御ユニット１０２４に入力され、適応制御ユニット１０２４が、受信品質情報に基づいて送信データに対して適応制御を実行し、リソース割り当てユニット１０１１のために、各データがどのＰＲＢに割り当てられるかを決定する周波数スケジューリングを実行する。
【００８５】
図１０に示されている基地局１０００が、図２に示されているＢＳ２００として機能してよいことに留意されたい。具体的には、無線送信ユニット１０１８が送信機２２０に対応してよい。回路２１０は、エンコーディングおよび変調セクション１０１０−１〜１０１０−ｎ、リソース割り当てユニット１０１１、多重化ユニット１０１２、制御情報生成ユニット１０１３、エンコーディングユニット１０１４、変調ユニット１０１５、ＩＦＦＴユニット１０１６、ＣＰ追加ユニット１０１７、ＣＰ除去ユニット１０２１、ＦＦＴユニット１０２２、復調および復号セクション１０２３−１〜１０２３−ｎ、および適応制御ユニット１０２４を含んでよい。明らかに、特定の要件に応じて、これらのユニットのうちの１つまたは複数が、回路２１０から分離されてもよい。
【００８６】
図１１は、本開示の実施形態に従ってユーザ機器（ＵＥ）１１００の詳細のブロック図を示している。
【００８７】
図１１に示されているＵＥ１１００では、無線受信ユニット１１１１が、基地局から送信されたＯＦＤＭシンボルをアンテナ１１１０を介して受信し、ＯＦＤＭシンボルに対してアップコンバートおよびＡ／Ｄ変換などの受信処理を実行する。ＣＰ除去ユニット１１１２は、受信処理後のＯＦＤＭシンボルからＣＰを除去する。ＦＦＴユニット１１１３は、ＣＰ除去後のＯＦＤＭシンボルに対してＦＦＴ処理を実行し、制御情報おびデータシンボルが多重化された受信信号を取得する。逆多重化ユニット１１１４は、ＦＦＴ後の受信信号を制御信号およびデータシンボルに逆多重化する。次に、逆多重化ユニット１１１４は、制御信号を復調および復号セクション１１１５に出力し、データシンボルをデマッピングユニット１１１６に出力する。
【００８８】
復調および復号セクション１１１５では、復調ユニット１１０１が制御信号に対して復調処理を実行し、復号ユニット１１０２が復調後の信号に対して復号処理を実行する。ここで、制御情報が、リソース割り当て情報およびＭＣＳ情報を含んでよい。次に、復調および復号セクション１１１５が、制御情報内のリソース割り当て情報をデマッピングユニット１１１６に出力する。
【００８９】
復調および復号セクション１１１５から入力されたリソース割り当て情報に基づいて、デマッピングユニット１１１６が、リソース割り当て情報に基づいてデータシンボルをＰＲＢから抽出する。具体的には、前述したように、ＮＲ  ＲＡタイプ０が使用される場合、リソース割り当て情報がビットマップを含んでよい。または、局所的な割り当てを含むＮＲ  ＲＡタイプ１が使用される場合、リソース割り当て情報が開始周波数位置および割り当てられたサイズを含んでよい。次に、デマッピングユニット１１１６が、抽出されたデータシンボルを復調および復号セクション１１１７に出力する。
【００９０】
復調および復号セクション１１１７では、復調ユニット１１０３が、デマッピングユニット１１１６から入力されたデータシンボルに対して復調処理を実行し、復号ユニット１１０４が復調後の信号に対して復号処理を実行する。このようにして、受信されたデータが取得される。
【００９１】
一方、エンコーディングおよび変調セクション１１１８では、エンコーディングユニット１１０５が送信データに対してエンコーディング処理を実行し、変調ユニット１１０６がエンコーディング後の送信データに対して変調処理を実行して、データシンボルを生成する。ＩＦＦＴユニット１１１９が、エンコーディングおよび変調セクション１１１８から入力されたデータシンボルが割り当てられたＰＲＢ内の複数のサブキャリアに対してＩＦＦＴ処理を実行し、マルチキャリア信号であるＯＦＤＭシンボルを生成する。ＣＰ追加ユニット１１２０は、ＯＦＤＭシンボルの末端部と同一の信号を、ＯＦＤＭシンボルの先頭にＣＰとして追加する。無線送信ユニット１１２１は、ＣＰ追加後のＯＦＤＭシンボルに対してＤ／Ａ変換、増幅、およびアップコンバートなどの送信処理を実行し、その結果をアンテナ１１１０から基地局に送信する。
【００９２】
図１１に示されているユーザ機器１１００が、図９に示されているＵＥ９００として機能してよいことに留意されたい。具体的には、無線受信ユニット１１１１が受信機９１０に対応してよい。回路９２０は、ＣＰ除去ユニット１１１２、ＦＦＴユニット１１１３、逆多重化ユニット１１１４、復調および復号セクション１１１５、１１１７、デマッピングユニット１１１６、エンコーディングおよび変調セクション１１１８、ＩＦＦＴユニット１１１９、ＣＰ追加ユニット１１２０を含んでよい。明らかに、特定の要件に応じて、これらのユニットのうちの１つまたは複数が、回路９２０から分離されてもよい。
【００９３】
図１２は、本開示の実施形態に従ってＢＳ１２１０とＵＥ１２２０の間の通信のフローチャートの例を概略的に示している。例えば、ＢＳ１２１０は、図２に示されているＢＳ２００または図１０に示されている基地局１０００であってよく、ＵＥ１２２０は、図９に示されているＵＥ９００または図１１に示されているユーザ機器１１００であってよい。
【００９４】
ステップＳＴ１０１で、ＵＥ１２２０は、接続手順においてＢＳ１２１０と接続する。この接続は、既知の方法または将来開発される方法を実装することによって確立されてよく、本明細書ではそれらの詳細は省略される。
【００９５】
ステップＳＴ１０２で、ＢＳ１２１０がリソース割り当てを実行し、すなわち、リソース割り当てのセットの１つに基づいて、ＰＲＢをデータ送信に割り当てる。前述したように、ＢＳ１２１０は、図２に示されたＢＳ２００として回路２１０を含んでよく、回路２１０によってステップＳＴ１０２が実行されてよい。
【００９６】
ステップＳＴ１０３で、ＢＳ１２１０が、割り当てられたＰＲＢ上でＤＣＩおよびデータをＵＥ１２２０に送信する。前述したように、ＢＳ１２１０は、図２に示されたＢＳ２００として送信機２２０を含んでもよく、送信機２２０によってステップＳＴ１０３が実行されてよい。
【００９７】
ステップＳＴ１０４で、ＵＥ１２２０がＤＣＩを復号し、ＤＣＩ内のＲＡインジケーションに基づいてデータをデマッピングして復号する。例えば、前述したように、ＲＡインジケーションは、リソース割り当て情報に対応し、リソース割り当て情報は、リソース割り当てのセットのどの１つに基づいてＰＲＢがデータ送信に割り当てられているかを示す。ＵＥ１２２０は、図９に示されたＵＥ９００として回路９２０を含んでよく、回路９２０によってステップＳＴ１０４が実行されてよい。
【００９８】
本開示のさらに別の実施形態では、図１３に示されているように、基地局の無線通信方法が提供されている。図１３は、本開示の実施形態に従って基地局の無線通信方法１３００のフローチャートを示している。例えば、無線通信方法１３００が、図２および１０に示されているＢＳ２００／１０００に適用されてよい。
【００９９】
図１３に示されているように、無線通信方法１３００がステップＳ１３０１で開始し、ステップＳ１３０１で、リソース割り当てのセットの１つに基づいて物理リソースブロック（ＰＲＢ）がデータ送信に割り当てられ、このリソース割り当てのセットは、連続的に番号付けされた仮想リソースブロック（ＶＲＢ）をインターリーブし、インターリーブされたＶＲＢを周波数領域内の連続するＰＲＢにマッピングする、第１のリソース割り当てを含む。次に、ステップＳ１３０２で、ＰＲＢ上でデータがユーザ機器に送信される。ステップＳ１３０２の後に、無線通信方法１３００が終了する。例えば、ユーザ機器は、図９および１１に示されているように、ＵＥ９００／１１００であってよい。
【０１００】
無線通信方法１３００では、異なるコードブロック内でインターリーブを適用することによって、コードブロック間でダイバーシティ利得が均一になると同時に、スケジューリング利得に対する影響がない。
【０１０１】
前述した基地局２００におけるその他の技術的特徴が、無線通信方法１３００に組み込まれてもよく、重複を避けるために、ここでは説明されないことに留意されたい。
【０１０２】
本開示のさらに別の実施形態では、図１４に示されているように、ユーザ機器の無線通信方法が提供されている。図１４は、本開示の実施形態に従ってユーザ機器の無線通信方法１４００のフローチャートを示している。例えば、無線通信方法１４００が、図９および１１に示されているＵＥ９００／１１００に適用されてよい。
【０１０３】
図１４に示されているように、無線通信方法１４００がステップＳ１４０１で開始し、ステップＳ１４０１で、物理リソースブロック（ＰＲＢ）上を送信されたデータおよびリソース割り当て情報が基地局から受信され、このリソース割り当て情報は、リソース割り当てのセットのどの１つに基づいてＰＲＢがデータ送信に割り当てられているかを示し、このリソース割り当てのセットは、連続的に番号付けされた仮想リソースブロック（ＶＲＢ）をインターリーブし、インターリーブされたＶＲＢを周波数領域内の連続するＰＲＢにマッピングする、第１のリソース割り当てを含む。次に、ステップＳ１４０２で、リソース割り当て情報に基づいてデータが復号される。ステップＳ１４０２の後に、無線通信方法１４００が終了する。例えば、基地局は、図２および１０に示されているようなＢＳ２００／１０００であってよい。
【０１０４】
無線通信方法１４００では、異なるコードブロック内でインターリーブを適用することによって、コードブロック間でダイバーシティ利得が均一になると同時に、スケジューリング利得に対する影響がない。
【０１０５】
前述したユーザ機器９００におけるその他の技術的特徴が、無線通信方法１４００に組み込まれてもよく、重複を避けるために、ここでは説明されないことに留意されたい。
【０１０６】
以上の図２〜１４を参照した説明では、ＮＲにおけるダウンリンクの場合のリソース割り当てに重点を置いた。しかし、本開示は、ダウンリンクに限定されず、アップリンクにも適用可能である。
【０１０７】
本開示の実施形態では、図１５に示されているようなユーザ機器が提供されている。図１５は、本開示の別の実施形態に従ってユーザ機器（ＵＥ）１５００の一部のブロック図を示している。図１５に示されているように、ＵＥ１５００は受信機１５１０、回路１５２０、および送信機１５３０を含んでよい。受信機１５１０は、リソース割り当て情報を基地局から受信するように機能する。回路１５２０は、リソース割り当て情報に基づいて、物理リソースブロック（ＰＲＢ）をデータ送信に割り当てるように機能する。送信機１５３０は、ＰＲＢ上のデータを基地局に送信するように機能する。リソース割り当て情報は、リソース割り当てのセットのどの１つに基づいてＰＲＢがデータ送信に割り当てられているかを示す。このリソース割り当てのセットは、連続的に番号付けされた仮想リソースブロック（ＶＲＢ）をインターリーブし、インターリーブされたＶＲＢを周波数領域内の連続するＰＲＢにマッピングする、第４のリソース割り当てを含む。
【０１０８】
局所的な割り当てを含むＮＲ  ＲＡタイプ１が、ダウンリンクだけでなくアップリンクにも使用されることに留意されたい。したがって、本明細書では、理解を容易にするために、局所的な割り当てを含むＮＲ  ＲＡタイプ１が、第４のリソース割り当ての例として選択される。すなわち、リソース情報が、局所的な割り当てを含むＮＲ  ＲＡタイプ１がアップリンクに使用されることを示している場合、ＵＥ１５００は、アップリンクデータ送信に対するリソース割り当て（すなわち、局所的な割り当てを含むＮＲ  ＲＡタイプ１に基づいて割り当てられたＰＲＢへのデータのマッピング）を実行する。具体的には、図１６が、本開示の別の実施形態に従って、局所的な割り当てを含むＮＲ  ＲＡタイプ１の場合に、ＶＲＢからＰＲＢにマッピングする例を概略的に示している。
【０１０９】
アップリンクの場合の局所的な割り当てを含むＮＲ  ＲＡタイプ１の図３と同様に、０、１、２、３、４、５で番号付けされた（すなわち、インデックス０、１、２、３、４、５付きの）連続する６つのＶＲＢが、左スラッシュで塗りつぶされたボックスによって示されているように、コードブロック１に使用されており、６、７、８、９、１０、１１で番号付けされた（すなわち、インデックス６、７、８、９、１０、１１付きの）連続する６つのＶＲＢが、右スラッシュで塗りつぶされたボックスによって示されているように、コードブロック２に使用されている。ブロックインターリーバ３０１の上側の３行が、０、１、２、３、４、５、６、７、８、９、１０、１１で番号付けされた連続する１２個のＶＲＢ間でインターリーブを実行するために使用されてよい。その結果、０、４、８、１、５、９、２、６、１０、３、７、１１で番号付けされたＶＲＢが、０、１、２、３、４、５、６、７、８、９、１０、１１で番号付けされたＰＲＢにそれぞれマッピングされる。ＶＲＢのインターリーブおよびＶＲＢからＰＲＢへのマッピングは、前述した基地局２００の場合と同様であるため、重複を避けるために、その詳細はここでは説明されない。
【０１１０】
同様に、これら２つのコードブロック内でインターリーブが適用されるため、これら２つのコードブロック間で、ダイバーシティ利得が均一になる。加えて、インターリーブが、帯域幅全体の代わりに、これら２つのコードブロック内のみで適用される（すなわち、割り当てられたＶＲＢに対してインターリーブが実行される）ため、コードブロックがマッピングされる周波数位置が、全体的に変化しない。さらに、スケジューリング利得に対する影響がない。
【０１１１】
本開示の実施形態に従って、リソース割り当てのセットは、連続的に番号付けされたＶＲＢをインターリーブし、インターリーブされたＶＲＢを、周波数領域内の位置がビットマップによって示されるＰＲＢにマッピングする、第５のリソース割り当てをさらに含んでよい。
【０１１２】
具体的には、ＮＲ  ＲＡタイプ０がＮＲにおけるアップリンクに使用されてもよい。アップリンクの場合のＮＲ  ＲＡタイプ０のリソース割り当ては、ダウンリンクの場合と同じであり、ダウンリンクの場合については、図４を参照してすでに詳細に説明しているため、重複を避けるために、ここではさらに説明されない。
【０１１３】
本開示の実施形態に従って、インターリーブ後に、第４のリソース割り当ておよび／または第５のリソース割り当てが、各ＶＲＢの２つのスロット間またはスロット内に周波数ホッピングをさらに導入する。
【０１１４】
具体的には、図１６に示されているように、各ＶＲＢが、ＰＲＢの２つのスロット（すなわち、スロット番号０およびスロット番号１）にそれぞれ対応する、時間領域内の２つの部分にさらに分割される。次に、ＶＲＢごとに、周波数ホッピングが２つの部分（２つのスロット）の間に適用される。本明細書では、周波数ホッピングとは、ＶＲＢの２つのスロット間の周波数距離のことである。周波数距離が１２であることが仮定される。すなわち、図１６に示されているように、例えばＶＲＢ０の場合、その第１の部分がＰＲＢ０のスロット番号０にマッピングされ、その第２の部分がＰＲＢ１２のスロット番号１にマッピングされる。同じことが、他のＶＲＢにも適用される。周波数ホッピングの導入によって、ＶＲＢごとの周波数ダイバーシティがさらに増える。
【０１１５】
周波数ホッピングがアップリンクの場合のＮＲ  ＲＡタイプ０にも適用可能であることに留意されたい。加えて、周波数ホッピングは、図１６に示されているような２つのスロット間だけでなく、スロット内にも導入されてよい。例えば、場合によっては、ＮＲにおいて１つのスロットが２つの部分にさらに分割されて、周波数ホッピングを適用してよい。
【０１１６】
この周波数ホッピングの導入は、ＬＴＥにおけるアップリンクの場合と同様であるため、本開示の発明の要点が混乱するのを防ぐために、本明細書ではその詳細はさらに説明されない。図１６に示されているように、１２の周波数ホッピングが導入されているが、ＮＲにおけるアップリンクのリソース割り当ての場合、いずれかの周波数ホッピングを導入することは必要ではない、ことに留意されたい。
【０１１７】
本開示の実施形態に従って、第４のリソース割り当ておよび第５のリソース割り当てが、ブロックインターリーバのサブセットに基づいてインターリーブを実行し、このブロックインターリーバは、ＬＴＥにおいて使用されるブロックインターリーバに基づくか、または構成されたリソースブロックグループ（ＲＢＧ）のサイズに応じて他のかたちで構成される。
【０１１８】
本開示の実施形態に従って、ブロックインターリーバは、ＶＲＢ番号を行ごとに書き込み、列ごとに読み出し、ブロックインターリーバのサブセットの行の数Ｎｒｏｗは、
【数９】
2021503189.tif 000011
によって決定され、
【数１０】
2021503189.tif 000012
は、割り当てられたＶＲＢの数を示し、Ｎｃｏｌｕｍｎはブロックインターリーバの列の数であり、ブロックインターリーバの列の数Ｎｃｏｌｕｍｎは指定または構成される。
【０１１９】
ダウンリンクに使用されるブロックインターリーバ（例えば、ブロックインターリーバ３０１および６０１）は、アップリンクに使用されてもよい。ブロックインターリーバの詳細な説明は、上ですでに行われているため、重複を避けるために、ここではさらに提示されない。
【０１２０】
前述したように、アップリンクの場合のリソース割り当てのセットは、上記の２つのタイプを含んでよく、基地局は、特定の環境（チャネルの状態、品質要件、システム性能など）に従って、それらのタイプのうちの１つを選択してよく、その決定をリソース割り当て情報を介してＵＥ１５００に通知する。ＬＴＥとは異なり、ＮＲでは、アップリンクの場合のリソース割り当ての２つのタイプおよびダウンリンクの場合のリソース割り当ての３つのタイプに対してインターリーブが実行され、同じブロックインターリーバが使用され、コードブロックレベルのダイバーシティを均一に維持しながら、ブロックインターリーバの設計が簡略化される。
【０１２１】
前述したように、第４のリソース割り当ては、ＮＲにおけるアップリンクの場合の局所的な割り当てを含むＲＡタイプ１に対応してよく、第５のリソース割り当ては、ＮＲにおけるアップリンクの場合のＲＡタイプ０に対応してよい。しかし、本開示はそれに限定されず、これら２つの割り当ては、リソース割り当ての任意のその他の適切なタイプに対応してよい。
【０１２２】
本開示の別の実施形態では、図１７に示されているような基地局が提供されている。図１７は、本開示の別の実施形態に従って基地局１７００の一部のブロック図を示している。図１７に示されているように、ＢＳ１７００は、送信機１７１０、受信機１７２０、および回路１７３０を備えてよい。送信機１７１０は、リソース割り当て情報をユーザ機器に送信するように機能する。受信機１７２０は、リソース割り当て情報に基づいて割り当てられた物理リソースブロック（ＰＲＢ）上を送信されたデータをユーザ機器から受信するように機能する。回路１７３０は、データを復号するように機能する。リソース割り当て情報は、リソース割り当てのセットのどの１つに基づいてＰＲＢがデータ送信に割り当てられているかを示す。このリソース割り当てのセットは、連続的に番号付けされた仮想リソースブロック（ＶＲＢ）をインターリーブし、インターリーブされたＶＲＢを周波数領域内の連続するＰＲＢにマッピングする、第４のリソース割り当てを含む。例えば、ユーザ機器は、図１５に示されているようなＵＥ１５００であってよい。
【０１２３】
本開示の実施形態に従って、リソース割り当てのセットは、連続的に番号付けされたＶＲＢをインターリーブし、インターリーブされたＶＲＢを、周波数領域内の位置がビットマップによって示されるＰＲＢにマッピングする、第５のリソース割り当てをさらに含む。
【０１２４】
本開示の実施形態に従って、第４のリソース割り当ておよび第５のリソース割り当てが、ブロックインターリーバのサブセットに基づいてインターリーブを実行し、このブロックインターリーバは、ＬＴＥにおいて使用されるブロックインターリーバに基づくか、または構成されたリソースブロックグループ（ＲＢＧ）のサイズに応じて他のかたちで構成される。
【０１２５】
本開示の実施形態に従って、ブロックインターリーバは、ＶＲＢ番号を行ごとに書き込み、列ごとに読み出し、ブロックインターリーバのサブセットの行の数Ｎｒｏｗは、
【数１１】
2021503189.tif 000013
によって決定され、
【数１２】
2021503189.tif 000014
は、割り当てられたＶＲＢの数を示し、Ｎｃｏｌｕｍｎはブロックインターリーバの列の数であり、ブロックインターリーバの列の数Ｎｃｏｌｕｍｎは指定または構成される。
【０１２６】
本開示の実施形態に従って、インターリーブ後に、第４のリソース割り当ておよび／または第５のリソース割り当てが、各ＶＲＢの２つのスロット間またはスロット内に周波数ホッピングをさらに導入する。
【０１２７】
本開示の実施形態に従って、第４のリソース割り当ては、ＮＲにおけるアップリンクの場合の局所的な割り当てを含むＲＡタイプ１に対応し、第５のリソース割り当ては、ＮＲにおけるアップリンクの場合のＲＡタイプ０に対応する。
【０１２８】
ＢＳ１７００では、異なるコードブロック内でインターリーブを適用することによって、コードブロック間でダイバーシティ利得が均一になると同時に、スケジューリング利得に対する影響がない。
【０１２９】
図１１に示されているＵＥ１１００が、図１５に示されているＵＥ１５００として機能してもよいことに留意されたい。具体的には、無線受信ユニット１１１１は受信機１５１０に対応してよく、無線送信ユニット１１２１は送信機１５３０に対応してよい。回路１５２０は、ＣＰ除去ユニット１１１２、ＦＦＴユニット１１１３、逆多重化ユニット１１１４、復調および復号セクション１１１５、１１１７、デマッピングユニット１１１６、エンコーディングおよび変調セクション１１１８、ＩＦＦＴユニット１１１９、ＣＰ追加ユニット１１２０を含んでよい。明らかに、特定の要件に応じて、これらのユニットのうちの１つまたは複数が、受信機１７２０から分離されてもよい。
【０１３０】
加えて、図１１には示されていないが、エンコーディングおよび変調セクション１１１８の前に、ＵＥ１１００が、ＶＲＢのインターリーブおよびＶＲＢからＰＲＢへのマッピングを実行するためのマッピング（またはリソース割り当て）ユニットを含んでもよい。図１１に示されているＵＥ１１００がＵＥ１５００として機能する場合、無線受信ユニット１１１１がリソース割り当て情報を基地局から受信してよい。
【０１３１】
同様に、図１０に示されているＢＳ１０００は、図１７に示されているＢＳ１７００として機能してもよい。具体的には、無線送信ユニット１０１８は送信機１７１０に対応してよく、無線受信ユニット１０２０は受信機１７２０に対応してよい。受信機１７２０は、エンコーディングおよび変調セクション１０１０−１〜１０１０−ｎ、リソース割り当てユニット１０１１、多重化ユニット１０１２、制御情報生成ユニット１０１３、エンコーディングユニット１０１４、変調ユニット１０１５、ＩＦＦＴユニット１０１６、ＣＰ追加ユニット１０１７、ＣＰ除去ユニット１０２１、ＦＦＴユニット１０２２、復調および復号セクション１０２３−１〜１０２３−ｎ、および適応制御ユニット１０２４を含んでよい。明らかに、特定の要件に応じて、これらのユニットのうちの１つまたは複数が、回路１５２０から分離されてもよい。
【０１３２】
図１８は、本開示の実施形態に従ってＢＳ１８１０とＵＥ１８２０の間の通信のフローチャートの別の例を概略的に示している。例えば、ＢＳ１８１０は図１７に示されているＢＳ１７００であってよく、ＵＥ１８２０は図１５に示されているＵＥ１５００であってよい。
【０１３３】
ステップＳＴ２０１で、ＵＥ１８２０は、接続手順においてＢＳ１８１０と接続する。この接続は、既知の方法または将来開発される方法を実装することによって確立されてよく、本明細書ではそれらの詳細は省略される。
【０１３４】
ステップＳＴ２０２で、ＢＳ１８１０がＤＣＩをＵＥ１８２０に送信する。例えば、ＤＣＩはリソース割り当て情報を含む。前述したように、ＢＳ１８１０は、図１７に示されたＢＳ１７００として送信機１７１０を含んでよく、送信機１７１０によってステップＳＴ２０２が実行されてよい。
【０１３５】
ステップＳＴ２０３で、ＵＥ１８２０が、ＢＳ１８１０から受信されたＤＣＩを復号し、ＤＣＩ内のＲＡインジケーションに基づいてデータをＰＲＢにマッピングする。さらに具体的には、ＵＥ１８２０は、ＲＡインジケーションに基づいてＰＲＢをデータ送信に割り当てる。前述したように、ＵＥ１８２０は、図１５に示されたＵＥ１５００として回路１５２０を含んでよく、回路１５２０によってステップＳＴ２０３が実行されてよい。例えば、前述したように、ＲＡインジケーションは、リソース割り当て情報に対応し、リソース割り当て情報は、リソース割り当てのセットのどの１つに基づいてＰＲＢがデータ送信に割り当てられているかを示す。
【０１３６】
ステップＳＴ２０４で、ＵＥ１８２０が、割り当てられたＰＲＢ上でデータをＢＳ１８１０に送信する。前述したように、ＵＥ１８２０は、図１５に示されたＵＥ１５００として送信機１５３０を含んでもよく、送信機１５３０によってステップＳＴ２０４が実行されてよい。
【０１３７】
ステップＳＴ２０５で、ＢＳ１８１０がデータをデマッピングして復号する。前述したように、ＢＳ１８１０は、図１７に示されたＢＳ１７００として回路１７３０を含んでよく、回路１７３０によってステップＳＴ２０５が実行されてよい。
【０１３８】
本開示のさらに別の実施形態では、図１９に示されているように、ユーザ機器の無線通信方法が提供されている。図１９は、本開示の別の実施形態に従ってユーザ機器の無線通信方法１９００のフローチャートを示している。例えば、無線通信方法１９００が、図１５に示されているＵＥ１５００に適用されてよい。
【０１３９】
図１９に示されているように、無線通信方法１９００がステップＳ１９０１で開始し、ステップＳ１９０１で、リソース割り当て情報が基地局から受信され、このリソース割り当て情報は、リソース割り当てのセットのどの１つに基づいて物理リソースブロック（ＰＲＢ）がデータ送信に割り当てられているかを示し、このリソース割り当てのセットは、連続的に番号付けされた仮想リソースブロック（ＶＲＢ）をインターリーブし、インターリーブされたＶＲＢを周波数領域内の連続するＰＲＢにマッピングする、第４のリソース割り当てを含む。ステップＳ１９０３の後に、無線通信方法１９００が終了する。次に、ステップＳ１９０２で、リソース割り当て情報に基づいてＰＲＢがデータ送信に割り当てられる。その後、ステップＳ１９０３で、ＰＲＢ上でデータが基地局に送信される。例えば、基地局は、図１７に示されているようなＢＳ１７００であってよい。
【０１４０】
前述したＵＥ１５００におけるその他の技術的特徴および利点が、無線通信方法１９００に組み込まれてもよく、重複を避けるために、ここでは説明されないことに留意されたい。
【０１４１】
本開示のさらに別の実施形態では、図２０に示されているように、基地局の無線通信方法が提供されている。図２０は、本開示の別の実施形態に従って基地局の無線通信方法２０００のフローチャートを示している。例えば、無線通信方法２０００が、図１７に示されているＢＳ１７００に適用されてよい。
【０１４２】
図２０に示されているように、無線通信方法２０００がステップＳ２００１で開始し、ステップＳ２００１で、リソース割り当て情報がユーザ機器に送信され、このリソース割り当て情報は、リソース割り当てのセットのどの１つに基づいて物理リソースブロック（ＰＲＢ）がデータ送信に割り当てられているかを示し、このリソース割り当てのセットは、連続的に番号付けされた仮想リソースブロック（ＶＲＢ）をインターリーブし、インターリーブされたＶＲＢを周波数領域内の連続するＰＲＢにマッピングする、第４のリソース割り当てを含む。次に、ステップ２００２で、リソース割り当て情報に基づいて割り当てられたＰＲＢ上を送信されたデータが、ユーザ機器から受信される。その後、ステップＳ２００３で、データが復号される。ステップＳ２００３の後に、無線通信方法２０００が終了する。例えば、ユーザ機器は、図１５に示されているようなＵＥ１５００であってよい。
【０１４３】
前述したＢＳ１７００におけるその他の技術的特徴および利点が、無線通信方法２０００に組み込まれてもよく、重複を避けるために、ここでは説明されないことに留意されたい。
【０１４４】
上では基地局とユーザ機器の間のダウンリンク通信およびアップリンク通信のみが説明されたが、本開示はそれに限定されず、２つのＵＥ間（すなわち、Ｄ２Ｄのケース）のサイドリンク通信に適用されてもよい。具体的には、Ｄ２Ｄのケースでは、ＵＥは、上記のリソース割り当てタイプのうちのどれを２つのＵＥ間のデータ送信に使用するかを、基地局からのＲＡインジケーションなしで、それ自身で決定してよい。ＮＲ  ＲＡタイプごとの、ＶＲＢのインターリーブおよびＶＲＢからＰＲＢへのマッピングならびにブロックインターリーバの設計は、ＤＬおよびＵＬのケースに関して前述したものと同じである。すなわち、Ｄ２Ｄのケースでは、ＵＥは、図２に示されたＢＳ２００のように動作してよく、図１５に示されているようなＵＥ１５００であってよい。
【０１４５】
本開示は、ソフトウェア、ハードウェア、またはハードウェアと連携するソフトウェアによって実現され得る。前述の各実施形態の説明において使用された各機能ブロックは、集積回路としてＬＳＩによって実現することができ、各実施形態において説明された各プロセスは、ＬＳＩよって制御されてよい。このＬＳＩは、複数のチップとして個別に形成されてよく、あるいは機能ブロックの一部または全部を含むように、１つのチップが形成されてもよい。このＬＳＩは、それに結合されたデータ入力およびデータ出力を含んでよい。このＬＳＩは、本明細書では、集積度の違いに応じて、ＩＣ、システムＬＳＩ、スーパーＬＳＩ、またはウルトラＬＳＩと呼ばれてよい。しかし、集積回路を実装する手法は、ＬＳＩに限定されず、専用回路または汎用プロセッサを使用して実現されてよい。加えて、ＬＳＩの製造後にプログラムすることができるＦＰＧＡ（フィールドプログラマブルゲートアレイ）、またはＬＳＩ内に配置された回路セルの接続および設定を再構成できるリコンフィギュラブルプロセッサが、使用されてよい。
【０１４６】
本開示が、本開示の内容および範囲を逸脱することなく、本明細書において提示された説明および既知の技術に基づいて当業者によってさまざまに変更または修正されるよう意図されており、そのような変更および応用が、保護されるよう請求された範囲に含まれることに留意されたい。さらに、本開示の内容を逸脱しない範囲内で、前述の実施形態の構成要素が任意に組み合わせられてよい。
【０１４７】
本開示の実施形態は、少なくとも以下の対象を提供できる。
（１）リソース割り当てのセットの１つに基づいて、物理リソースブロック（ＰＲＢ）をデータ送信に割り当てるように機能する回路、およびＰＲＢ上のデータをユーザ機器に送信するように機能する送信機を備えており、このリソース割り当てのセットが、連続的に番号付けされた仮想リソースブロック（ＶＲＢ）をインターリーブし、インターリーブされたＶＲＢを周波数領域内の連続するＰＲＢにマッピングする、第１のリソース割り当てを含む、基地局。
【０１４８】
（２）リソース割り当てのセットが、連続的に番号付けされたＶＲＢをインターリーブし、インターリーブされたＶＲＢを、周波数領域内の位置がビットマップによって示されるＰＲＢにマッピングする、第２のリソース割り当てをさらに含む、（１）に記載の基地局。
【０１４９】
（３）リソース割り当てのセットが、連続的に番号付けされたＶＲＢをインターリーブし、インターリーブされたＶＲＢを、指定された周波数範囲内または構成された周波数範囲内の周波数領域内で連続しないＰＲＢにマッピングする、第３のリソース割り当てをさらに含む、（２）に記載の基地局。
【０１５０】
（４）第１のリソース割り当ておよび第２のリソース割り当てが、ブロックインターリーバのサブセットに基づいてインターリーブを実行し、このブロックインターリーバに基づいて第３のリソース割り当てがインターリーブを実行し、このブロックインターリーバが、ＬＴＥにおいて使用されるブロックインターリーバに基づくか、または構成されたリソースブロックグループ（ＲＢＧ）のサイズに応じて他のかたちで構成される、（３）に記載の基地局。
【０１５１】
（５）ブロックインターリーバが、ＶＲＢ番号を行ごとに書き込み、列ごとに読み出し、ブロックインターリーバのサブセットの行の数Ｎｒｏｗが、
【数１３】
2021503189.tif 000015
によって決定され、
【数１４】
2021503189.tif 000016
が、割り当てられたＶＲＢの数を示し、Ｎｃｏｌｕｍｎがブロックインターリーバの列の数であり、ブロックインターリーバの列の数Ｎｃｏｌｕｍｎが指定または構成される、（４）に記載の基地局。
【０１５２】
（６）指定された周波数範囲または構成された周波数範囲が、キャリア帯域幅全体以下であるか、またはキャリア帯域幅の一部である、（３）に記載の基地局。
【０１５３】
（７）インターリーブ後に、第３のリソース割り当てが、各ＶＲＢのスロットごとに周波数ギャップをさらに導入する、（３）に記載の基地局。
【０１５４】
（８）第１のリソース割り当てが、ＮＲのダウンリンクの場合の局所的な割り当てを含むＲＡタイプ１に対応し、第２のリソース割り当てが、ＮＲのダウンリンクの場合のＲＡタイプ０に対応し、第３のリソース割り当てが、ＮＲのダウンリンクの場合の分散された割り当てを含むＲＡタイプ１に対応する、（３）に記載の基地局。
【０１５５】
（９）物理リソースブロック（ＰＲＢ）上で送信されたデータおよびリソース割り当て情報を基地局から受信するように機能する受信機、およびリソース割り当て情報に基づいてデータを復号するように機能する回路を備えており、リソース割り当て情報が、リソース割り当てのセットのどの１つに基づいてＰＲＢがデータ送信に割り当てられているかを示し、このリソース割り当てのセットが、連続的に番号付けされた仮想リソースブロック（ＶＲＢ）をインターリーブし、インターリーブされたＶＲＢを周波数領域内の連続するＰＲＢにマッピングする、第１のリソース割り当てを含む、ユーザ機器。
【０１５６】
（１０）リソース割り当てのセットが、連続的に番号付けされたＶＲＢをインターリーブし、インターリーブされたＶＲＢを、周波数領域内の位置がビットマップによって示されるＰＲＢにマッピングする、第２のリソース割り当てをさらに含む、（９）に記載のユーザ機器。
【０１５７】
（１１）リソース割り当てのセットが、連続的に番号付けされたＶＲＢをインターリーブし、インターリーブされたＶＲＢを、既定の周波数範囲内の周波数領域内で連続しないＰＲＢにマッピングする、第３のリソース割り当てをさらに含む、（１０）に記載のユーザ機器。
【０１５８】
（１２）第１のリソース割り当ておよび第２のリソース割り当てが、ブロックインターリーバのサブセットに基づいてインターリーブを実行し、このブロックインターリーバに基づいて第３のリソース割り当てがインターリーブを実行し、このブロックインターリーバが、ＬＴＥにおいて使用されるブロックインターリーバに基づくか、または構成されたリソースブロックグループ（ＲＢＧ）のサイズに応じて他のかたちで構成される、（１１）に記載のユーザ機器。
【０１５９】
（１３）ブロックインターリーバが、ＶＲＢ番号を行ごとに書き込み、列ごとに読み出し、ブロックインターリーバのサブセットの行の数Ｎｒｏｗが、
【数１５】
2021503189.tif 000017
によって決定され、
【数１６】
2021503189.tif 000018
が、割り当てられたＶＲＢの数を示し、Ｎｃｏｌｕｍｎがブロックインターリーバの列の数であり、ブロックインターリーバの列の数Ｎｃｏｌｕｍｎが指定または構成される、（１２）に記載のユーザ機器。
【０１６０】
（１４）指定された周波数範囲または構成された周波数範囲が、キャリア帯域幅全体以下であるか、またはキャリア帯域幅の一部である、（１１）に記載のユーザ機器。
【０１６１】
（１５）インターリーブ後に、第３のリソース割り当てが、各ＶＲＢのスロットごとに周波数ギャップをさらに導入する、（１１）に記載のユーザ機器。
【０１６２】
（１６）第１のリソース割り当てが、ＮＲのダウンリンクの場合の局所的な割り当てを含むＲＡタイプ１に対応し、第２のリソース割り当てが、ＮＲのダウンリンクの場合のＲＡタイプ０に対応し、第３のリソース割り当てが、ＮＲのダウンリンクの場合の分散された割り当てを含むＲＡタイプ１に対応する、（１１）に記載のユーザ機器。
【０１６３】
（１７）リソース割り当てのセットの１つに基づいて、物理リソースブロック（ＰＲＢ）をデータ送信に割り当てること、およびＰＲＢ上のデータをユーザ機器に送信することを含んでおり、このリソース割り当てのセットが、連続的に番号付けされた仮想リソースブロック（ＶＲＢ）をインターリーブし、インターリーブされたＶＲＢを周波数領域内の連続するＰＲＢにマッピングする、第１のリソース割り当てを含む、基地局の無線通信方法。
【０１６４】
（１８）リソース割り当てのセットが、連続的に番号付けされたＶＲＢをインターリーブし、インターリーブされたＶＲＢを、周波数領域内の位置がビットマップによって示されるＰＲＢにマッピングする、第２のリソース割り当てをさらに含む、（１７）に記載の無線通信方法。
【０１６５】
（１９）リソース割り当てのセットが、連続的に番号付けされたＶＲＢをインターリーブし、インターリーブされたＶＲＢを、指定された周波数範囲内または構成された周波数範囲内の周波数領域内で連続しないＰＲＢにマッピングする、第３のリソース割り当てをさらに含む、（１８）に記載の無線通信方法。
【０１６６】
（２０）第１のリソース割り当ておよび第２のリソース割り当てが、ブロックインターリーバのサブセットに基づいてインターリーブを実行し、このブロックインターリーバに基づいて第３のリソース割り当てがインターリーブを実行し、このブロックインターリーバが、ＬＴＥにおいて使用されるブロックインターリーバに基づくか、または構成されたリソースブロックグループ（ＲＢＧ）のサイズに応じて他のかたちで構成される、（１９）に記載の無線通信方法。
【０１６７】
（２１）ブロックインターリーバが、ＶＲＢ番号を行ごとに書き込み、列ごとに読み出し、ブロックインターリーバのサブセットの行の数Ｎｒｏｗが、
【数１７】
2021503189.tif 000019
によって決定され、
【数１８】
2021503189.tif 000020
が、割り当てられたＶＲＢの数を示し、Ｎｃｏｌｕｍｎがブロックインターリーバの列の数であり、ブロックインターリーバの列の数Ｎｃｏｌｕｍｎが指定または構成される、（２０）に記載の無線通信方法。
【０１６８】
（２２）指定された周波数範囲または構成された周波数範囲が、キャリア帯域幅全体以下であるか、またはキャリア帯域幅の一部である、（１９）に記載の無線通信方法。
【０１６９】
（２３）インターリーブ後に、第３のリソース割り当てが、各ＶＲＢのスロットごとに周波数ギャップをさらに導入する、（１９）に記載の無線通信方法。
【０１７０】
（２４）第１のリソース割り当てが、ＮＲのダウンリンクの場合の局所的な割り当てを含むＲＡタイプ１に対応し、第２のリソース割り当てが、ＮＲのダウンリンクの場合のＲＡタイプ０に対応し、第３のリソース割り当てが、ＮＲのダウンリンクの場合の分散された割り当てを含むＲＡタイプ１に対応する、（１９）に記載の無線通信方法。
【０１７１】
（２５）物理リソースブロック（ＰＲＢ）上で送信されたデータおよびリソース割り当て情報を基地局から受信すること、およびリソース割り当て情報に基づいてデータを復号することを含んでおり、リソース割り当て情報が、リソース割り当てのセットのどの１つに基づいてＰＲＢがデータ送信に割り当てられているかを示し、このリソース割り当てのセットが、連続的に番号付けされた仮想リソースブロック（ＶＲＢ）をインターリーブし、インターリーブされたＶＲＢを周波数領域内の連続するＰＲＢにマッピングする、第１のリソース割り当てを含む、ユーザ機器の無線通信方法。
【０１７２】
（２６）リソース割り当てのセットが、連続的に番号付けされたＶＲＢをインターリーブし、インターリーブされたＶＲＢを、周波数領域内の位置がビットマップによって示されるＰＲＢにマッピングする、第２のリソース割り当てをさらに含む、（２５）に記載の無線通信方法。
【０１７３】
（２７）リソース割り当てのセットが、連続的に番号付けされたＶＲＢをインターリーブし、インターリーブされたＶＲＢを、既定の周波数範囲内の周波数領域内で連続しないＰＲＢにマッピングする、第３のリソース割り当てをさらに含む、（２６）に記載の無線通信方法。
【０１７４】
（２８）第１のリソース割り当ておよび第２のリソース割り当てが、ブロックインターリーバのサブセットに基づいてインターリーブを実行し、このブロックインターリーバに基づいて第３のリソース割り当てがインターリーブを実行し、このブロックインターリーバが、ＬＴＥにおいて使用されるブロックインターリーバに基づくか、または構成されたリソースブロックグループ（ＲＢＧ）のサイズに応じて他のかたちで構成される、（２７）に記載の無線通信方法。
【０１７５】
（２９）ブロックインターリーバが、ＶＲＢ番号を行ごとに書き込み、列ごとに読み出し、ブロックインターリーバのサブセットの行の数Ｎｒｏｗが、
【数１９】
2021503189.tif 000021
によって決定され、
【数２０】
2021503189.tif 000022
が、割り当てられたＶＲＢの数を示し、Ｎｃｏｌｕｍｎがブロックインターリーバの列の数であり、ブロックインターリーバの列の数Ｎｃｏｌｕｍｎが指定または構成される、（２８）に記載の無線通信方法。
【０１７６】
（３０）指定された周波数範囲または構成された周波数範囲が、キャリア帯域幅全体以下であるか、またはキャリア帯域幅の一部である、（２７）に記載の無線通信方法。
【０１７７】
（３１）インターリーブ後に、第３のリソース割り当てが、各ＶＲＢのスロットごとに周波数ギャップをさらに導入する、（２７）に記載の無線通信方法。
【０１７８】
（３２）第１のリソース割り当てが、ＮＲのダウンリンクの場合の局所的な割り当てを含むＲＡタイプ１に対応し、第２のリソース割り当てが、ＮＲのダウンリンクの場合のＲＡタイプ０に対応し、第３のリソース割り当てが、ＮＲのダウンリンクの場合の分散された割り当てを含むＲＡタイプ１に対応する、（２７）に記載の無線通信方法。
【０１７９】
（３３）リソース割り当て情報を基地局から受信するように機能する受信機と、リソース割り当て情報に基づいて、物理リソースブロック（ＰＲＢ）をデータ送信に割り当てるように機能する回路と、ＰＲＢ上のデータを基地局に送信するように機能する送信機とを備えており、リソース割り当て情報が、リソース割り当てのセットのどの１つに基づいてＰＲＢがデータ送信に割り当てられているかを示し、このリソース割り当てのセットが、連続的に番号付けされた仮想リソースブロック（ＶＲＢ）をインターリーブし、インターリーブされたＶＲＢを周波数領域内の連続するＰＲＢにマッピングする、第４のリソース割り当てを含む、ユーザ機器。
【０１８０】
（３４）リソース割り当てのセットが、連続的に番号付けされたＶＲＢをインターリーブし、インターリーブされたＶＲＢを、周波数領域内の位置がビットマップによって示されるＰＲＢにマッピングする、第５のリソース割り当てをさらに含む、（３３）に記載のユーザ機器。
【０１８１】
（３５）第４のリソース割り当ておよび第５のリソース割り当てが、ブロックインターリーバのサブセットに基づいてインターリーブを実行し、このブロックインターリーバが、ＬＴＥにおいて使用されるブロックインターリーバに基づくか、または構成されたリソースブロックグループ（ＲＢＧ）のサイズに応じて他のかたちで構成される、（３４）に記載のユーザ機器。
【０１８２】
（３６）ブロックインターリーバが、ＶＲＢ番号を行ごとに書き込み、列ごとに読み出し、ブロックインターリーバのサブセットの行の数Ｎｒｏｗが、
【数２１】
2021503189.tif 000023
によって決定され、
【数２２】
2021503189.tif 000024
が、割り当てられたＶＲＢの数を示し、Ｎｃｏｌｕｍｎがブロックインターリーバの列の数であり、ブロックインターリーバの列の数Ｎｃｏｌｕｍｎが指定または構成される、（３５）に記載のユーザ機器。
【０１８３】
（３７）インターリーブ後に、第４のリソース割り当ておよび／または第５のリソース割り当てが、各ＶＲＢの２つのスロット間またはスロット内に周波数ホッピングをさらに導入する、（３４）に記載のユーザ機器。
【０１８４】
（３８）第４のリソース割り当てが、ＮＲにおけるアップリンクの場合の局所的な割り当てを含むＲＡタイプ１に対応し、第５のリソース割り当てが、ＮＲにおけるアップリンクの場合のＲＡタイプ０に対応する、（３４）に記載のユーザ機器。
【０１８５】
（３９）リソース割り当て情報をユーザ機器に送信するように機能する送信機と、リソース割り当て情報に基づいて割り当てられた物理リソースブロック（ＰＲＢ）上を送信されたデータをユーザ機器から受信するように機能する受信機と、データを復号するように機能する回路とを備えており、リソース割り当て情報が、リソース割り当てのセットのどの１つに基づいてＰＲＢがデータ送信に割り当てられているかを示し、このリソース割り当てのセットが、連続的に番号付けされた仮想リソースブロック（ＶＲＢ）をインターリーブし、インターリーブされたＶＲＢを周波数領域内の連続するＰＲＢにマッピングする、第４のリソース割り当てを含む、基地局。
【０１８６】
（４０）リソース割り当てのセットが、連続的に番号付けされたＶＲＢをインターリーブし、インターリーブされたＶＲＢを、周波数領域内の位置がビットマップによって示されるＰＲＢにマッピングする、第５のリソース割り当てをさらに含む、（３９）に記載の基地局。
【０１８７】
（４１）第４のリソース割り当ておよび第５のリソース割り当てが、ブロックインターリーバのサブセットに基づいてインターリーブを実行し、このブロックインターリーバが、ＬＴＥにおいて使用されるブロックインターリーバに基づくか、または構成されたリソースブロックグループ（ＲＢＧ）のサイズに応じて他のかたちで構成される、（４０）に記載の基地局。
【０１８８】
（４２）ブロックインターリーバが、ＶＲＢ番号を行ごとに書き込み、列ごとに読み出し、ブロックインターリーバのサブセットの行の数Ｎｒｏｗが、
【数２３】
2021503189.tif 000025
によって決定され、
【数２４】
2021503189.tif 000026
が、割り当てられたＶＲＢの数を示し、Ｎｃｏｌｕｍｎがブロックインターリーバの列の数であり、ブロックインターリーバの列の数Ｎｃｏｌｕｍｎが指定または構成される、（４１）に記載の基地局。
【０１８９】
（４３）インターリーブ後に、第４のリソース割り当ておよび／または第５のリソース割り当てが、各ＶＲＢの２つのスロット間またはスロット内に周波数ホッピングをさらに導入する、（４０）に記載の基地局。
【０１９０】
（４４）第４のリソース割り当てが、ＮＲにおけるアップリンクの場合の局所的な割り当てを含むＲＡタイプ１に対応し、第５のリソース割り当てが、ＮＲにおけるアップリンクの場合のＲＡタイプ０に対応する、（４０）に記載の基地局。
【０１９１】
（４５）リソース割り当て情報を基地局から受信することと、リソース割り当て情報に基づいて、物理リソースブロック（ＰＲＢ）をデータ送信に割り当てることと、ＰＲＢ上のデータを基地局に送信することとを含んでおり、リソース割り当て情報が、リソース割り当てのセットのどの１つに基づいてＰＲＢがデータ送信に割り当てられているかを示し、このリソース割り当てのセットが、続的に番号付けされた仮想リソースブロック（ＶＲＢ）をインターリーブし、インターリーブされたＶＲＢを周波数領域内の連続するＰＲＢにマッピングする、第４のリソース割り当てを含む、ユーザ機器の無線通信方法。
【０１９２】
（４６）リソース割り当てのセットが、連続的に番号付けされたＶＲＢをインターリーブし、インターリーブされたＶＲＢを、周波数領域内の位置がビットマップによって示されるＰＲＢにマッピングする、第５のリソース割り当てをさらに含む、（４５）に記載の無線通信方法。
【０１９３】
（４７）第４のリソース割り当ておよび第５のリソース割り当てが、ブロックインターリーバのサブセットに基づいてインターリーブを実行し、このブロックインターリーバが、ＬＴＥにおいて使用されるブロックインターリーバに基づくか、または構成されたリソースブロックグループ（ＲＢＧ）のサイズに応じて他のかたちで構成される、（４６）に記載の無線通信方法。
【０１９４】
（４８）ブロックインターリーバが、ＶＲＢ番号を行ごとに書き込み、列ごとに読み出し、ブロックインターリーバのサブセットの行の数Ｎｒｏｗが、
【数２５】
2021503189.tif 000027
によって決定され、
【数２６】
2021503189.tif 000028
が、割り当てられたＶＲＢの数を示し、Ｎｃｏｌｕｍｎがブロックインターリーバの列の数であり、ブロックインターリーバの列の数Ｎｃｏｌｕｍｎが指定または構成される、（４７）に記載の無線通信方法。
【０１９５】
（４９）インターリーブ後に、第４のリソース割り当ておよび／または第５のリソース割り当てが、各ＶＲＢの２つのスロット間またはスロット内に周波数ホッピングをさらに導入する、（４６）に記載の無線通信方法。
【０１９６】
（５０）第４のリソース割り当てが、ＮＲにおけるアップリンクの場合の局所的な割り当てを含むＲＡタイプ１に対応し、第５のリソース割り当てが、ＮＲにおけるアップリンクの場合のＲＡタイプ０に対応する、（４６）に記載の無線通信方法。
【０１９７】
（５１）リソース割り当て情報をユーザ機器に送信することと、リソース割り当て情報に基づいて割り当てられた物理リソースブロック（ＰＲＢ）上を送信されたデータをユーザ機器から受信することと、データを復号することとを含んでおり、リソース割り当て情報が、リソース割り当てのセットのどの１つに基づいてＰＲＢがデータ送信に割り当てられているかを示し、このリソース割り当てのセットが、連続的に番号付けされた仮想リソースブロック（ＶＲＢ）をインターリーブし、インターリーブされたＶＲＢを周波数領域内の連続するＰＲＢにマッピングする、第４のリソース割り当てを含む、基地局の無線通信方法。
【０１９８】
（５２）リソース割り当てのセットが、連続的に番号付けされたＶＲＢをインターリーブし、インターリーブされたＶＲＢを、周波数領域内の位置がビットマップによって示されるＰＲＢにマッピングする、第５のリソース割り当てをさらに含む、（５１）に記載の無線通信方法。
【０１９９】
（５３）第４のリソース割り当ておよび第５のリソース割り当てが、ブロックインターリーバのサブセットに基づいてインターリーブを実行し、このブロックインターリーバが、ＬＴＥにおいて使用されるブロックインターリーバに基づくか、または構成されたリソースブロックグループ（ＲＢＧ）のサイズに応じて他のかたちで構成される、（５２）に記載の無線通信方法。
【０２００】
（５４）ブロックインターリーバが、ＶＲＢ番号を行ごとに書き込み、列ごとに読み出し、ブロックインターリーバのサブセットの行の数Ｎｒｏｗが、
【数２７】
2021503189.tif 000029
によって決定され、
【数２８】
2021503189.tif 000030
が、割り当てられたＶＲＢの数を示し、Ｎｃｏｌｕｍｎがブロックインターリーバの列の数であり、ブロックインターリーバの列の数Ｎｃｏｌｕｍｎが指定または構成される、（５３）に記載の無線通信方法。
【０２０１】
（５５）インターリーブ後に、第４のリソース割り当ておよび／または第５のリソース割り当てが、各ＶＲＢの２つのスロット間またはスロット内に周波数ホッピングをさらに導入する、（５２）に記載の無線通信方法。
【０２０２】
（５６）第４のリソース割り当てが、ＮＲにおけるアップリンクの場合の局所的な割り当てを含むＲＡタイプ１に対応し、第５のリソース割り当てが、ＮＲにおけるアップリンクの場合のＲＡタイプ０に対応する、（５２）に記載の無線通信方法。
【図１】
2021503189.tif 000035
【図２】
2021503189.tif 000036
【図３】
2021503189.tif 000037
【図４】
2021503189.tif 000038
【図５】
2021503189.tif 000039
【図６】
2021503189.tif 000040
【図７】
2021503189.tif 000041
【図８】
2021503189.tif 000042
【図９】
2021503189.tif 000043
【図１０】
2021503189.tif 000044
【図１１】
2021503189.tif 000045
【図１２】
2021503189.tif 000046
【図１３】
2021503189.tif 000047
【図１４】
2021503189.tif 000048
【図１５】
2021503189.tif 000049
【図１６】
2021503189.tif 000050
【図１７】
2021503189.tif 000051
【図１８】
2021503189.tif 000052
【図１９】
2021503189.tif 000053
【図２０】
2021503189.tif 000054
【国際調査報告】
2021503189.tif 000055
2021503189.tif 000056